(57)【要約】【課題】リフタと洗濯物（布地）との間の摩擦作用がスムーズに起こる洗濯処理装置を提供する。【解決手段】本開示に係る洗濯処理装置は、前後方向に延びる回転軸線を中心に回転するように構成されたドラムと、ドラム内に配置されたリフタとを備えている。リフタは、ドラムの内周面に設置されたリフタフレームと、リフタフレームに連結され、ドラムの内周面から半径方向内側に突出するフレームカバーとを含む。リフタフレームは、リフタフレームの内外を互いに連通するように、リフタフレームの上面および側面に形成された通水孔を有し、フレームカバーは、フレームカバーの上面の一部を貫通することにより、通水孔を通過した洗浄水がドラム内に排出されるように形成された排水孔を有する。【選択図】図１
2020124476.tif 000002
【特許請求の範囲】
【請求項１】
洗濯処理装置であって、
前後方向に延びる回転軸線を中心に回転するように構成されたドラムと、
前記ドラムの内周面に配置され、前記ドラムが回転するときに前記回転軸線を中心に回転するように構成されたリフタと、を備え、
前記リフタは、
前記ドラムの内周面に取り付けられたリフタフレームと、
前記リフタフレームに連結され、前記ドラムの前記内周面から半径方向内側に突出するフレームカバーと、を備え、
前記リフタフレームは、
前記ドラムの前記内周面に連結されたフレームベースと、
前記ドラムの内側に向かう方向に前記フレームベースから間隔を空けて配置されたフレーム上板と、
前記フレーム上板と前記フレームベースとを接続するように構成されたフレーム側壁と、
前記フレーム上板に形成され、前記リフタフレームの内側と外側とを互いに連通させる第１通水孔と、
前記フレーム側壁に形成され、前記リフタフレームの前記内側と前記外側とを互いに連通させる第２通水孔と、を備え、
前記フレームカバーは、
前記フレーム上板に面する内面を有するカバー上板と、
前記フレームベースに結合された下端および前記カバー上板に接続された上端を有するカバー側壁と、
前記カバー上板に形成され、前記第１通水孔または前記第２通水孔を通過した洗浄水が通過して前記ドラム内に排出される排水孔と、を備えてなる、洗濯処理装置。
【請求項２】
前記フレーム上板および前記カバー上板は、互いに平行な対応する表面を有し、
前記フレーム側壁および前記カバー側壁は、互いに平行な対応する表面を有する、請求項１に記載の洗濯処理装置。
【請求項３】
前記フレーム上板は、水平投影面が前記フレームベースの円周内に配置され得るように、前記フレームベースよりも相対的に小さく、
前記フレーム側壁は、前記フレーム上板と前記フレームベースとを傾斜した状態で接続する、請求項２に記載の洗濯処理装置。
【請求項４】
前記フレーム上板に形成された前記第１通水孔の少なくとも一部と、前記カバー上板に形成された前記排水孔の少なくとも一部とは、前記ドラムの前記内周面に垂直な垂直方向において互いに整列しないように配置される、請求項３に記載の洗濯処理装置。
【請求項５】
前記ドラムは、前記リフタに前記洗浄水を導入するために前記フレームカバーで覆われた領域に形成された水流流入孔を有する、請求項４に記載の洗濯処理装置。
【請求項６】
前記リフタフレームは、前記カバー上板の内面が前記フレーム上板から離隔され得るように、前記フレーム上板から前記カバー上板の前記内面に向かって突出するスペーサをさらに備えてなる、請求項１に記載の洗濯処理装置。
【請求項７】
前記スペーサは、前記カバー上板の前記内面から離間している、請求項６に記載の洗濯処理装置。
【請求項８】
前記スペーサは、前記カバー上板の前記内面に接触している、請求項６に記載の洗濯処理装置。
【請求項９】
前記カバー上板は、前記スペーサに対応する位置に上方に突出するドームを有する、請求項６に記載の洗濯処理装置。
【請求項１０】
前記ドームは、前記カバー上板の前記内面に対して凹状に形成されるとともに前記カバー上板の外面に対して凸状に形成され、前記スペーサの少なくとも一部は前記ドームの凹状部分に位置する、請求項９に記載の洗濯処理装置。
【請求項１１】
前記ドームは、前記カバー上板の長手方向に互いに離隔して複数形成され、前記排水孔は、隣接する前記ドームの間にそれぞれ形成される、請求項１０に記載の洗濯処理装置。
【請求項１２】
前記排水孔は、前記カバー上板の幅方向に隣接する前記ドーム間に複数形成される、請求項１１に記載の洗濯処理装置。
【請求項１３】
前記リフタフレームは合成樹脂製であり、
前記フレームカバーは金属製である、請求項１に記載の洗濯処理装置。
【請求項１４】
前記フレームベースは、前記フレームベースの円周に沿って形成された着座溝を有し、前記フレームカバーの下端から連結タブが突出し、前記リフタフレームは、前記リフタフレームが前記フレームカバーに結合されたときに前記連結タブが挿入されるように前記着座溝に形成されたタブ結合ポートを有する、請求項１に記載の洗濯処理装置。
【請求項１５】
前記リフタは、
前記ドラムの周方向に配置された複数の前部リフタと、
それぞれの前記前部リフタの後側で前記ドラムの前記周方向にそれぞれ配置された複数の後部リフタと、を備えてなる、請求項１に記載の洗濯処理装置。
【請求項１６】
洗濯処理装置であって、
洗浄水を受け取るように構成された洗濯槽と、
洗濯物を受け取り、前記洗濯槽内で前後方向に延びる回転軸線周りに回転するように構成されたドラムと、
前記ドラムの内周面に配置され、前記ドラムが回転するときに前記回転軸線を中心に回転するように構成されたリフタと、を備え、
前記リフタは、
前記ドラムの前記内周面に取り付けられたリフタフレームと、
前記リフタフレームに連結され、前記ドラムの前記内周面から半径方向内側に突出するフレームカバーと、を備え、
前記リフタフレームは、前記リフタフレームの内側と外側とが互いに連通するように前記リフタフレームの上面に形成された第１通水孔を有し、前記リフタフレームは、前記リフタフレームの前記内側と前記外側とが互いに連通するように前記リフタフレームの側面に形成された第２通水孔を有し、前記フレームカバーは、前記フレームカバーの上面の一部を貫通して形成され、前記第１通水孔または前記第２通水孔を通過した洗浄水を前記ドラム内に排出する排水孔を備えてなる、洗濯処理装置。
【請求項１７】
前記フレーム上板および前記カバー上板は、互いに平行な対応する表面を有し、前記フレーム側壁および前記カバー側壁は、互いに平行な対応する表面を有する、請求項１６に記載の洗濯処理装置。
【請求項１８】
前記フレーム上板は、水平投影面が前記フレームベースの円周内に配置され得るように前記フレームベースよりも相対的に小さく、
前記フレーム側壁は、前記フレーム上板と前記フレームベースとを傾斜した状態で接続する、請求項１７に記載の洗濯処理装置。
【請求項１９】
前記リフタフレームの前記上面に形成された前記第１通水孔の少なくとも一部と、前記フレームカバーの前記上面に形成された前記排水孔の少なくとも一部とは、前記ドラムの前記内周面に垂直な垂直方向において互いに整列しないように配置される、請求項１８に記載の洗濯処理装置。
【請求項２０】
前記ドラムは、前記リフタに前記洗浄水を導入するために前記フレームカバーで覆われた領域に形成された水流流入孔を有する、請求項１９に記載の洗濯処理装置。
【請求項２１】
前記排水孔の開口面積は、前記第１通水孔の開口面積よりも相対的に小さい、請求項１６に記載の洗濯処理装置。
【発明の詳細な説明】
【技術分野】
【０００１】
関連出願への相互参照
本出願は、２０１９年２月１日に韓国知的財産局に提出された「洗濯処理装置」という名称の韓国特許出願第１０２０１９００１３９２６号、および２０１９年１０月２９日に韓国知的財産局に提出された「洗濯処理装置」という名称の韓国特許出願第１０２０１９０１３５４５２号に対する優先権の利益を主張し、これらの全開示は参照により本出願に組み込まれる。
【０００２】
本開示は、リフタが設けられた回転ドラムを有する洗濯処理装置に関する。
【背景技術】
【０００３】
韓国特許出願第１０２０１８００７２３３６号公報（以下、「特許文献１」と称する）は、洗濯物の回転運動が行われる洗濯機を開示している。洗濯物を持ち上げるように構成されたリフタを有するドラムは、ドラム内の洗濯物が所定の高さまで持ち上げられ、次いでドラムの内周面に沿って転がり落ちるように、所定の速度で回転する。回転運動は、洗濯物が回転する間に洗濯物とドラムとの間に生じる摩擦により、洗濯物を穏やかに摩擦する効果を引き起こす。
【０００４】
リフタの高さが高いほど、洗濯物を持ち上げやすくなるため、リフタの高さが特定のレベルを超える場合、ローリング動作を実行することは困難である。なぜなら、リフタの抗力により洗濯物が高く持ち上げられ、ドラムを低速で回転させても洗濯物の落下高さが高くなるため、洗濯物は転がる代わりにドラムの底部に直接落下する（つまり、タンブリング動作が発生する）からである。
【０００５】
リフタの高さが低い場合、転がりながら落下している洗濯物（つまり、ドラムの最下点にまだ達していない洗濯物）は、たとえドラムが従来技術よりも高速で回転しても、回転運動の間にリフタを乗り越える可能性があり、その結果、洗濯物がより長い時間回転する可能性がある。
【０００６】
ただし、ドラムのほぼ最下点まで落ちた洗濯物は、リフタで持ち上げる必要があるため、リフタと洗濯物との間に一定レベルより大きな摩擦が発生する構造を考慮する必要がある。
【０００７】
韓国特許出願第１０２０１７００８２０５５号公報（以下、「特許文献２」と称する）は、ほぼ水平な回転軸を中心に回転するドラムの内周面に複数のリフタを有する洗濯機を開示している。
【０００８】
リフタは、ドラムの内周面に結合された第１部材と、第１部材に取り付けられ、ドラムが回転しているときに洗濯物を持ち上げるようにドラムの内側に突出する第２部材とを含む。
【０００９】
第２部材は、洗濯物が収容される空間を規定するように、ほぼドーム状に形成されている。第１部材は、ドラムの内周面に装着される第１部分と、装着部から凸状に突出して空間に挿入される第２部分とを含む。
【００１０】
第２部材のドーム形状の基部は第２部分と接触しているが、基部から半径方向に離間したドーム形状の頂点は第２部分から離間している。
【００１１】
ドーム形状の頂点は第１部材で支持できないため、第２部材が外力によって押されると、第２部材の内部空間、特にドーム形状の頂点が押し下げられるという欠点がある。
【００１２】
すなわち、第１部材の上板と第２部材の上板とが互いに対応していないため、外力による変形に適切に対処することができない。
【００１３】
特に、第２部材が金属、例えばステンレス鋼で作られている場合、材料の塑性変形により、第２部材を元の形状に復元できないという欠点がある。
【００１４】
さらに、塑性変形により第２部材が元の形状に復元できない場合、リフタ間のバランスが崩れる。したがって、ドラムの回転中に偏心が発生し、リフタによってドラムに加えられる負荷によっても不均衡が発生し、深刻な場合にはドラムが変形または損傷する可能性がある。
【００１５】
また、第２部材の変形により、第１部材の外面と第２部材の内面との間の隙間が小さくなると、隙間に異物が捕捉され、衛生上の問題が生じる場合がある。
【００１６】
特に、第１部材に形成された洗浄水入口孔からリフタに洗浄水が導入されても、洗浄水は第２部材に形成された洗浄排水孔から素早く排出される。これは、洗浄水入口孔および洗浄排水孔が、それぞれ互いに対応する第１部材の上板および第２部材の上板に形成されているからである。
【００１７】
そのため、リフタに洗浄水が導入されても、洗浄水がリフタ内に比較的短時間滞留するため、リフタの内部を効果的に洗浄することが難しいという欠点がある。
【００１８】
韓国特許出願第１０２００７００４８９１３号公報（以下、「特許文献３」と称する）は、洗濯機用ドラムの製造方法を開示している。この製造方法によれば、四角い金属板にリフタを取り付けるための取り付け孔を形成した後、金属板を圧延することにより、円筒ドラムが製造される。
【００１９】
韓国実用新案登録第２０−０３５８９０３号公報（以下、「特許文献４」と称する）は、取り付け孔を使用してドラムにリフタを取り付ける構造を開示している。取り付け孔は、ドラムの前後方向に所定の間隔を空けて配置されており、このように配置された取り付け孔のセットを用いて１つのリフタが取り付けられている。すなわち、一組の取り付け孔に対応する数のフックがリフタに形成され、フックはそれぞれ取り付け孔に捕捉される。
【００２０】
特開２００４−０５７６５７号公報（以下、「特許文献５」と称する）は、セットを構成する一対のリフタ（またはバッフル）をドラムの内周面の前後方向に一列に配置した構造を開示しており、リフタは、ドラムの周方向に沿って所定の間隔で配置されている。
【００２１】
一方、製造業者は製品の仕様に応じて異なる容量のドラムを設計する必要がある。この場合、製造業者は、設計寸法に基づいて、製造されるドラムの前後方向の長さに応じた金属板の一辺の長さに金属板を切断することにより、前後方向に長いドラム（すなわち、大容量ドラム）と、比較的短いドラム（すなわち、小容量ドラム）とを選択的に製造することができる。
【００２２】
しかしながら、一対のリフタ間の距離は、ドラムの前後方向の長さに応じて変更する必要がある。しかし、上記関連技術の開示では、リフタに形成されたフックが指定された取り付け孔にのみ固定されているため、ドラムの長さが変化しても、一対のリフタ間の間隔は必然的に一定である。上記のようにドラムの長さに関わらず、前側に位置するリフタと後側に位置するリフタとの間隔が常に一定である構造は、前側に位置するリフタの前端とドラムの前端との距離、または後側に位置するリフタとドラムの後端との距離がドラムの長さが増加するにつれて増加するため、ドラムの前端または後端に位置する洗濯物がリフタに接触できないという欠点がある。
【００２３】
韓国実用新案登録第２０−０３５８９０３号公報（以下、「特許文献６」と称する）は、リフタを備えたドラムを有する洗濯機を開示している。リフタの一方の表面からフックが突き出るとともに、ドラムにフック貫通孔が形成されており、フックがフック貫通孔に引っ掛かる。
【００２４】
フックは、リフタ本体から延びる首部と、首部よりも広い幅を有するように首部の端部から広がる頭部とを含む。リフタは、首部がフック貫通孔に位置した状態で、頭部がドラムの外面に引っ掛かるように設置されている。
【００２５】
しかしながら、上記のようなフックを有するリフタを射出成形するために、金型は、リフタ本体の上面を形成するように構成された上金型と、リフタ本体の下面を形成するように構成された下金型とを含む。しかし、頭部の一部がリフタ本体に垂直に重なるため、アンダーカットが発生するという欠点がある。
【先行技術文献】
【特許文献】
【００２６】
【特許文献１】韓国特許出願第１０２０１８００７２３３６号公報
【特許文献２】韓国特許出願第１０２０１７００８２０５５号公報
【特許文献３】韓国特許出願第１０２００７００４８９１３号公報
【特許文献４】韓国実用新案登録第２０−０３５８９０３号公報
【特許文献５】特開２００４−０５７６５７号公報
【特許文献６】韓国実用新案登録第２０−０３５８９０３号公報
【発明の概要】
【発明が解決しようとする課題】
【００２７】
本開示の一態様は、リフタと洗濯物（布地）との間の摩擦作用がスムーズに起こる洗濯処理装置を提供することである。
【００２８】
本開示の他の態様は、リフタの高さが低くなっても、リフタと洗濯物との間の摩擦を利用して洗濯物の摩擦動作を向上させることができる洗濯処理装置を提供することにある。
【００２９】
本開示のさらに他の態様は、リフタと洗濯物との間の摩擦を所定のレベル以上に維持し、リフタを用いて洗濯物を持ち上げる作業を円滑に行うことができる洗濯処理装置を提供することにある。
【００３０】
本開示のさらに別の態様は、リフタが容易に変形しないようにリフタの剛性が高められた洗濯処理装置を提供することである。
【００３１】
本開示のさらに他の態様は、リフタの外形を規定するフレームカバーが薄い金属板で形成されていても、リフタの剛性が十分に確保された洗濯処理装置を提供することである。
【課題を解決するための手段】
【００３２】
本開示の態様は、上述のものに限定されず、上述されていない他の態様は、以下の説明から当業者によって明確に理解され得る。そして、本発明の一の態様は以下の通りである。
〔本発明の一の態様〕
〔１〕  洗濯処理装置であって、
前後方向に延びる回転軸線を中心に回転するように構成されたドラムと、
前記ドラムの内周面に配置され、前記ドラムが回転するときに前記回転軸線を中心に回転するように構成されたリフタと、を備え、
前記リフタは、
前記ドラムの内周面に取り付けられたリフタフレームと、
前記リフタフレームに連結され、前記ドラムの前記内周面から半径方向内側に突出するフレームカバーと、を備え、
前記リフタフレームは、
前記ドラムの前記内周面に連結されたフレームベースと、
前記ドラムの内側に向かう方向に前記フレームベースから間隔を空けて配置されたフレーム上板と、
前記フレーム上板と前記フレームベースとを接続するように構成されたフレーム側壁と、
前記フレーム上板に形成され、前記リフタフレームの内側と外側とを互いに連通させる第１通水孔と、
前記フレーム側壁に形成され、前記リフタフレームの前記内側と前記外側とを互いに連通させる第２通水孔と、を備え、
前記フレームカバーは、
前記フレーム上板に面する内面を有するカバー上板と、
前記フレームベースに結合された下端および前記カバー上板に接続された上端を有するカバー側壁と、
前記カバー上板に形成され、前記第１通水孔または前記第２通水孔を通過した洗浄水が通過して前記ドラム内に排出される排水孔と、を備えてなる、洗濯処理装置。
〔２〕  前記フレーム上板および前記カバー上板は、互いに平行な対応する表面を有し、
前記フレーム側壁および前記カバー側壁は、互いに平行な対応する表面を有する、〔１〕に記載の洗濯処理装置。
〔３〕  前記フレーム上板は、水平投影面が前記フレームベースの円周内に配置され得るように、前記フレームベースよりも相対的に小さく、
前記フレーム側壁は、前記フレーム上板と前記フレームベースとを傾斜した状態で接続する、〔２〕に記載の洗濯処理装置。
〔４〕  前記フレーム上板に形成された前記第１通水孔の少なくとも一部と、前記カバー上板に形成された前記排水孔の少なくとも一部とは、前記ドラムの前記内周面に垂直な垂直方向において互いに整列しないように配置される、〔３〕に記載の洗濯処理装置。
〔５〕  前記ドラムは、前記リフタに前記洗浄水を導入するために前記フレームカバーで覆われた領域に形成された水流流入孔を有する、〔４〕に記載の洗濯処理装置。
〔６〕  前記リフタフレームは、前記カバー上板の内面が前記フレーム上板から離隔され得るように、前記フレーム上板から前記カバー上板の前記内面に向かって突出するスペーサをさらに備えてなる、〔１〕に記載の洗濯処理装置。
〔７〕  前記スペーサは、前記カバー上板の前記内面から離間している、〔６〕に記載の洗濯処理装置。
〔８〕  前記スペーサは、前記カバー上板の前記内面に接触している、〔６〕に記載の洗濯処理装置。
〔９〕  前記カバー上板は、前記スペーサに対応する位置に上方に突出するドームを有する、〔６〕に記載の洗濯処理装置。
〔１０〕  前記ドームは、前記カバー上板の前記内面に対して凹状に形成されるとともに前記カバー上板の外面に対して凸状に形成され、前記スペーサの少なくとも一部は前記ドームの凹状部分に位置する、〔９〕に記載の洗濯処理装置。
〔１１〕  前記ドームは、前記カバー上板の長手方向に互いに離隔して複数形成され、前記排水孔は、隣接する前記ドームの間にそれぞれ形成される、〔１０〕に記載の洗濯処理装置。
〔１２〕  前記排水孔は、前記カバー上板の幅方向に隣接する前記ドーム間に複数形成される、〔１１〕に記載の洗濯処理装置。
〔１３〕  前記リフタフレームは合成樹脂製であり、
前記フレームカバーは金属製である、〔１〕に記載の洗濯処理装置。
〔１４〕  前記フレームベースは、前記フレームベースの円周に沿って形成された着座溝を有し、前記フレームカバーの下端から連結タブが突出し、前記リフタフレームは、前記リフタフレームが前記フレームカバーに結合されたときに前記連結タブが挿入されるように前記着座溝に形成されたタブ結合ポートを有する、〔１〕に記載の洗濯処理装置。
〔１５〕  前記リフタは、
前記ドラムの周方向に配置された複数の前部リフタと、
それぞれの前記前部リフタの後側で前記ドラムの前記周方向にそれぞれ配置された複数の後部リフタと、を備えてなる、〔１〕に記載の洗濯処理装置。
〔１６〕  洗濯処理装置であって、
洗浄水を受け取るように構成された洗濯槽と、
洗濯物を受け取り、前記洗濯槽内で前後方向に延びる回転軸線周りに回転するように構成されたドラムと、
前記ドラムの内周面に配置され、前記ドラムが回転するときに前記回転軸線を中心に回転するように構成されたリフタと、を備え、
前記リフタは、
前記ドラムの前記内周面に取り付けられたリフタフレームと、
前記リフタフレームに連結され、前記ドラムの前記内周面から半径方向内側に突出するフレームカバーと、を備え、
前記リフタフレームは、前記リフタフレームの内側と外側とが互いに連通するように前記リフタフレームの上面に形成された第１通水孔を有し、前記リフタフレームは、前記リフタフレームの前記内側と前記外側とが互いに連通するように前記リフタフレームの側面に形成された第２通水孔を有し、前記フレームカバーは、前記フレームカバーの上面の一部を貫通して形成され、前記第１通水孔または前記第２通水孔を通過した洗浄水を前記ドラム内に排出する排水孔を備えてなる、洗濯処理装置。
〔１７〕  前記フレーム上板および前記カバー上板は、互いに平行な対応する表面を有し、前記フレーム側壁および前記カバー側壁は、互いに平行な対応する表面を有する、〔１６〕に記載の洗濯処理装置。
〔１８〕  前記フレーム上板は、水平投影面が前記フレームベースの円周内に配置され得るように前記フレームベースよりも相対的に小さく、
前記フレーム側壁は、前記フレーム上板と前記フレームベースとを傾斜した状態で接続する、〔１７〕に記載の洗濯処理装置。
〔１９〕  前記リフタフレームの前記上面に形成された前記第１通水孔の少なくとも一部と、前記フレームカバーの前記上面に形成された前記排水孔の少なくとも一部とは、前記ドラムの前記内周面に垂直な垂直方向において互いに整列しないように配置される、〔１８〕に記載の洗濯処理装置。
〔２０〕  前記ドラムは、前記リフタに前記洗浄水を導入するために前記フレームカバーで覆われた領域に形成された水流流入孔を有する、〔１９〕に記載の洗濯処理装置。
〔２１〕  前記排水孔の開口面積は、前記第１通水孔の開口面積よりも相対的に小さい、〔１６〕に記載の洗濯処理装置。
【００３３】
本開示の一実施形態に係る洗濯処理装置は、前後方向に延びる回転軸線を中心に回転するように構成されたドラムと、ドラム内に配置されたリフタとを備えている。
【００３４】
リフタは、ドラムに固定されたリフタフレームと、リフタフレームを覆うように構成されたフレームカバーとを含んでもよい。
【００３５】
リフタフレームは、リフタフレームの内外を互いに連通させるために、フレーム上板およびフレーム側壁にそれぞれ形成された通水孔を含んでいてもよく、フレームカバーは、カバー上板に形成され、通水孔を通過した洗浄水が通過してドラム内に排出される排水孔を含んでいてもよい。
【００３６】
通水孔の数は、排水孔の数よりも比較的大きくてもよい。
【００３７】
リフタフレームおよびフレームカバーの上面および側面は、互いに対応していてもよい。
【００３８】
リフタフレームおよびフレームカバーのそれぞれの側面は、傾斜するように形成されていてもよい。
【００３９】
通水孔の少なくとも一部と、排水孔の少なくとも一部とは、ドラムの内周面に垂直な上下方向に互いに整列しないように配置されていてもよい。
【００４０】
リフタフレームは合成樹脂製であってもよく、フレームカバーは金属製であってもよい。
【００４１】
フレームカバーは、リフタ上板部を構成するカバー上板と、リフタ側壁部を構成するカバー側壁とを含んでもよい。フレームカバーの下端に連結タブが形成されていてもよく、連結タブが挿入されるタブ結合ポートがリフタフレームに形成されていてもよい。
【００４２】
リフタフレームは、ドラムの内周面に固定され、フレームカバーの下端が挿入される着座溝を有するフレームベースと、フレームベースからドラムの内側に向かう方向に離間したフレーム上板と、フレーム上板とフレームベースとを接続するように構成されたフレーム側壁とを含んでもよい。タブ結合ポートは、着座溝に形成されてもよい。
【００４３】
フレームカバーの内面は、フレーム上板からフレームカバーの内面に向かって突出するスペーサによって、フレーム上板から間隔を隔てられていてもよい。
【００４４】
スペーサは、フレームカバーの内面と接触していてもよいが、本開示はそれに限定されず、非接触スペーサが提供されてもよい。
【００４５】
ドラムは、フレームカバーで覆われた領域に形成された少なくとも１つの水流流入孔を有していてもよく、リフタフレームは、リフタフレームの内側と外側とを互いに連通させる少なくとも１つの通水孔を有していてもよい。
【００４６】
フレームカバーは、スペーサに対応する位置で上方に突出するドームを有していてもよい。複数のドームは、互いに離隔して形成されていてもよく、排水孔は、隣接するドームの間に形成されてもよい。
【００４７】
リフタは複数設けられていてもよく、複数のリフタは、ドラムの周方向に配置された複数の前部リフタと、複数の前部リフタの後方においてドラムの周方向に配置された複数の後部リフタとを含んでもよい。
【００４８】
本開示の別の実施形態に係る洗濯処理装置は、洗浄水を受けるように構成された洗濯槽と、洗濯物を受け取り、前後方向に延びる回転軸線を中心に洗濯槽内で回転するドラムと、ドラムに配置されたリフタとを備えている。
【００４９】
リフタは、ドラムの内周面に固定された合成樹脂製のリフタフレームと、リフタフレームを覆うように構成された金属製のフレームカバーとを含む。
【００５０】
フレームカバーには、フレームカバーを塑性加工することにより、フレームカバーの上面の一部を貫通して形成された排水孔と、フレームカバーの上面から突出した上板突起とが形成されていてもよい。
【００５１】
本開示に係る洗濯処理装置によれば、洗濯物とリフタに形成された洗浄突起との摩擦作用により、洗濯物の摩擦効果が向上する。
【００５２】
また、従来技術に比べてリフタの高さが低い場合であっても、洗浄突起と洗濯物との摩擦作用を利用して洗濯物を所定のレベル以上に持ち上げることができる。
【００５３】
また、布の流れが改善され、洗浄突起と洗濯物との間の摩擦作用により布の分配がスムーズに行われる。
【００５４】
また、通水孔は、排水孔が形成される位置に加えて別の位置にも形成される。したがって、リフタフレームとフレームカバーとの間の分離空間に導かれた後、ドラム内に排出される洗浄水のより多様な流路を確保することができ、これにより、リフタ内部の洗浄効果を向上させることができる。
【００５５】
また、リフタフレームおよびフレームカバーの上面と側面とがそれぞれ対応するように形成されているため、外力によってリフタが変形した場合に、より高い剛性を発揮し、変形および損傷を最小限に抑えることができる。
【００５６】
また、上記のようにフレーム側壁とカバー側壁とが傾斜して形成されているため、通水孔を通過する洗浄水が傾斜面に衝突しながらリフタ内部を洗浄することができ、洗浄水は傾斜面に沿って排水孔に自然に導かれ得る。
【００５７】
本開示の上記および他の態様、特徴、および利点は、添付の図面と併せて以下の態様の詳細な説明から明らかになるであろう。
【図面の簡単な説明】
【００５８】
【図１】本開示の例示的な実施形態による洗濯処理装置の断面図である。
【図２】図１に示すリフタの斜視図である。
【図３】図２に示すリフタの分解斜視図である。
【図４】図２に示すリフタの平面投影図である。
【図５】大容量ドラムを製造するために切断された原料（ａ）と、小容量ドラムを製造するために切断された原料（ｂ）を示す図である。
【図６】図５に示す部分Ａに対応するドラムの一部の拡大図（ａ）と、図５に示す部分Ｂに対応するドラムの一部の拡大図（ｂ）である。
【図７】図５の（ａ）に示すＢ部の拡大図（ａ）と、図５の（ｂ）に示すＣ部の拡大図（ｂ）である。
【図８】リフタフレームの平面図である。
【図９】リフタフレームの底面図である。
【図１０】図２に示すＡ−Ａ線に沿った断面図である。
【図１１】リフタフレームの正面図である。
【図１２】リフタフレームの側面図である。
【図１３】フレームカバーの上面図である。
【図１４】フレームカバーの正面図である。
【図１５】フレームカバーの側面図である。
【図１６】図１に示す前後一対のリフタを示す図である。
【図１７】図１６に示すリフタを正面から見た図である。
【図１８】図１に示すドラムが展開された状態を示す図（ａ）と、本開示の他の例示的な実施形態に係るリフタが配置されたドラムの展開図（ｂ）である。
【図１９】ドラムの回転角度に応じて後部リフタにより生じる第１布地の高さの変化を示す図（ａ）と、後部リフタと対をなす前部リフタによる第２布地の高さの変化を示す図（ｂ）である。
【図２０】リフタを配置した変形例を示す図であり、（ａ）は小容量ドラムを示し、（ｂ）は大容量ドラムを示す。
【図２１】リフタの他の例示的な実施形態を示す図である。
【発明を実施するための形態】
【００５９】
本開示の利点および特徴、ならびにそれらを達成するための方法は、添付の図面を参照して以下に説明される例示的な実施形態から明らかになるであろう。しかしながら、本開示は、本明細書に開示される例示的な実施形態に限定されず、様々な異なる形態で実装されてもよい。例示的な実施形態は、本開示の説明を徹底し、本開示の範囲を当業者に完全に伝えるために提供される。本開示の範囲は、特許請求の範囲によってのみ定義されることに留意されたい。
【００６０】
図面に示された形状、サイズ、比率、角度、要素の数は単なる例示であり、したがって、本開示は図示された詳細に限定されない。同様の参照番号は、明細書全体を通して同様の要素を示している。
【００６１】
本開示の説明に関連して、関連する既知の技術の詳細な説明が本開示の要旨を不必要に曖昧にすると判断された場合、詳細な説明を省略する場合がある。
【００６２】
本明細書で使用される用語は、特定の例示的な実施形態のみを説明するためのものであり、限定することを意図するものではない。本明細書で使用されるように、単数形「ａ」、「ａｎ」、および「ｔｈｅ」は、文脈がそうでないことを明確に示さない限り、複数形も含むことを意図し得る。「具備する」、「備える」、「含む」、「有する」という用語は包括的であり、したがって、述べられた特徴、整数、ステップ、操作、要素、および／または構成要素の存在を指定するが、１つ以上の他の機能、整数、ステップ、操作、要素、構成要素、および／またはそれらのグループの存在または追加を排除しない。本明細書で説明する方法のステップ、プロセス、および動作は、特に性能の順序として特定されない限り、必ずしも議論または図示される特定の順序での性能を必要とすると解釈されるべきではない。また、追加または代替のステップを使用できることも理解されたい。
【００６３】
要素または層が別の要素または層に「接して（ｏｎ）」、「係合して（ｅｎｇａｇｅｄ  ｔｏ）」、「接続して（ｃｏｎｎｅｃｔｅｄ  ｔｏ）」、または「結合されて（ｃｏｕｐｌｅｄ  ｔｏ）」と呼ばれる場合、他の要素または層に直接接して、係合して、接続して、または結合されてもよいし、介在する要素または層が存在してもよい。対照的に、ある要素が別の要素または層に「直接接して（ｄｉｒｅｃｔｌｙ  ｏｎ）」、「直接係合して（ｄｉｒｅｃｔｌｙ  ｅｎｇａｇｅｄ  ｔｏ）」、「直接接続して（ｄｉｒｅｃｔｌｙ  ｃｏｎｎｅｃｔｅｄ  ｔｏ）」、または「直接結合されて（ｄｉｒｅｃｔｌｙ  ｃｏｕｐｌｅｄ  ｔｏ）」と呼ばれる場合、介在する要素または層が存在しない場合がある。要素間の関係を説明するために使用される他の単語は、同様の方法で解釈する必要がある（例えば、「間に（ｂｅｔｗｅｅｎ）」に対して「直接間に（ｄｉｒｅｃｔｌｙ  ｂｅｔｗｅｅｎ）」、「隣接して（ａｄｊａｃｅｎｔ）に対して「直接隣接して（ｄｉｒｅｃｔｌｙ  ａｄｊａｃｅｎｔ）」など）。本明細書で使用される「および／または」という用語は、関連するリストされたアイテムの１つまたは複数のありとあらゆる組み合わせを含む。
【００６４】
「接続された」および「結合された」という用語は、物理的または機械的な接続または結合に限定されず、直接的であるか間接的であるかに関わらず、電気的な接続または結合を含み得る。接続は、対象物が永続的に接続されるようにしてもよいし、解放可能に接続されるようにしてもよい。「通信可能に結合され」という用語は、直接的に、または介在する構成要素を介して間接的に接続されるものとして定義され、接続は必ずしも物理的な接続に限定されるものではなく、そのように説明された構成要素間におけるデータ、流体、または他の事項の転送に対応する接続である。
【００６５】
本明細書では、「第１」、「第２」、「第３」などの用語を使用して様々な要素、構成要素、領域、層、および／または部分を説明することがあるが、これらの要素、構成要素、領域、層、および／または部分はこれらの用語によって制限されるべきでない。これらの用語は、１つの要素、構成要素、領域、層または部分を別の領域、層または部分から区別するためにのみ使用され得る。本明細書で使用される「第１」、「第２」などの用語および他の数値用語は、文脈により明確に示されない限り、順序または順番を意味しない。したがって、以下で説明する第１要素、構成要素、領域、層または部分は、例示的な実施形態の教示から逸脱することなく、第２要素、構成要素、領域、層または部分と呼ぶことができる。
【００６６】
「内側（ｉｎｎｅｒ）」、「外側（ｏｕｔｅｒ）」、「下（ｂｅｎｅａｔｈ）」、「下方（ｂｅｌｏｗ）」、「より下（ｌｏｗｅｒ）」、「上方（ａｂｏｖｅ）」、「より上（ｕｐｐｅｒ）」などの空間的に相対的な用語は、本明細書では、説明を簡単にするために、１つの要素または機能と図に示されている別の要素または機能との関係を説明するために使用される場合がある。空間的に相対的な用語は、図に示されている向きに加えて、使用中または操作中の装置の様々な向きを包含することを意図している場合がある。例えば、図の装置を裏返すと、他の要素または機能の「下方」または「下」にある要素は、他の要素または機能の「上方」に配置される。したがって、「下方」という用語の例には、上方と下方との両方の向きを含み得る。装置は、別の方法で方向付けられ（９０度または他の方向に回転され）てもよく、本明細書で使用される空間的に相対的な記述子はそれに応じて解釈され得る。
【００６７】
本明細書で使用される「または」という用語は、包括的であると解釈されるか、いずれか１つまたは任意の組み合わせを意味するものとする。したがって、「Ａ、Ｂ、またはＣ」は、「Ａ、Ｂ、Ｃ、ＡおよびＢ、ＡおよびＣ、ＢおよびＣ、Ａ、ＢおよびＣ」のいずれかを意味する。この定義の例外は、要素、機能、ステップ、または行為の組み合わせが何らかの形で本質的に相互に排他的である場合にのみ発生する。
【００６８】
以下、洗濯処理装置の一例として洗濯機について説明するが、洗濯処理装置は洗濯機に限定されない。洗濯処理装置は、ドラム５１に投入された衣類などの洗濯物（または被乾燥物）を処理する装置であり、乾燥機でも洗濯乾燥機でもよい。
【００６９】
図１を参照すると、本発明の例示的な実施形態による洗濯処理装置は、外部を規定するように構成されたケーシング１３と、ケーシング１３内に配置されて洗浄水を貯蔵するように構成された貯水槽３１と、貯水槽３１に回転可能に設置され、挿入された洗濯物を収容するように構成された洗濯槽５０と、洗濯槽５０を回転させるように構成されたモータ２５とを備え得る。ケーシング１３には、貯水槽３１の振動を吸収するように構成されたダンパ１６が設けられていてもよい。
【００７０】
ドラム５１は、前後方向に延びる回転軸線Ｏを中心に回転されてもよく、ドラム５１は洗濯槽５０を構成し得る。回転軸線はほぼ水平である。ただし、厳密には「水平」という用語は「幾何学的に水平」という意味ではない。図１に示すように、水平軸線に対してある角度で傾斜が形成されていたとしても、傾斜が垂直軸線よりも水平軸線に近い場合、ドラム５１または洗濯槽５０は、水平軸線を中心に回転するといえるであろう。
【００７１】
ケーシング１３の前面には洗濯物挿入口が形成されており、ケーシング１３には洗濯物挿入口を開閉するように構成された扉２１が回転可能に設けられていてもよい。洗濯物挿入口と貯水槽３１の入口とが互いに連通するように、管状のガスケット２２が設けられている。ガスケット２２は、柔らかい材料（例えばゴム）で作られている。ガスケット２２の前端は、ケーシング１３の洗濯物挿入口の周囲に接続されてもよく、ガスケット２２の後端は、貯水槽３１の入口の周囲に接続されてもよい。
【００７２】
ケーシング１３には、給水弁３３、給水管３４、および給水ホース３７が設置されていてもよい。給水弁３３を開いて洗浄水を供給する場合、給水管３４を通過した洗浄水は、洗剤を貯留するディスペンサ３５において洗剤と混合され、その後、給水ホース３７を介して貯水槽３１に洗浄水が供給される。
【００７３】
貯水槽３１には排水ホース１７を介してポンプ２４の入力ポートが接続されており、ポンプ２４の排出ポートは、排水管１９に接続されている。貯水槽３１から排水ホース１７を介して排出された水は、ポンプ２４によって汲み上げられ、排水管１９を流れた後、洗濯処理装置の外部に排出される。
【００７４】
洗濯槽５０は、ドラム５１と、ドラム５１の前端に結合された前部カバー５２と、ドラム５１の後端に結合された後部カバー５３とを含み得る。ドラム５１は、複数の貫通孔５１ｈ（図５参照）を有する金属板（例えば、ステンレス鋼）を巻き上げて金属板の両端を接合することにより形成された筒状（または円筒状）体の形態で形成されてもよい。貯水槽３１に貯留された水は、貫通孔５１ｈを介して洗濯槽５０に導入され得る。ドラム５１の内周面には、塑性加工により凸状に形成された複数のエンボス部５１ａ（図５参照）が形成されていてもよく、エンボス部５１ａ間に貫通孔５１ｈが形成されてもよい。
【００７５】
前部カバー５２には、ドラム５１に洗濯物を挿入できるように開口部が形成されていてもよい。貯水槽３１の入口は、開口部に連通している。前部カバー５２は、ドラム５１と同じ種類の材料で作られてもよい。
【００７６】
後部カバー５３は、ドラム５１の開放された後側を閉じ、後部カバー５３の後面には、モータ２５の駆動軸２５ａに接続されたスパイダ２６が連結されていてもよい。スパイダ２６は、駆動軸２５ａの回転力を洗濯槽５０に伝達するように構成されており、モータ２５の駆動軸２５ａは、スパイダ２６の中心に連結されてもよい。
【００７７】
ドラム５１には、複数のリフタ６１ａ、６１ｂ、６２ａ、６２ｂ、６３ａ、および６３ｂが設けられている。ドラム５１が回転すると、リフタ６１ａ、６１ｂ、６２ａ、６２ｂ、６３ａ、６３ｂにより洗濯物が持ち上げられる。
【００７８】
複数のリフタ６１ａ、６１ｂ、６２ａ、６２ｂ、６３ａ、および６３ｂは、ドラム５１の前後方向に配置された第１リフタおよび第２リフタを含む。以下では、第１リフタが前部リフタ６１ａ、６２ａ、および６３ａであり、第２リフタが前部リフタから後方に離間した後部リフタ６１ｂ、６２ｂ、および６３ｂである例について説明する。ただし、実施形態によっては、第１リフタが後部リフタであり、第２リフタが前部リフタであってもよい。
【００７９】
図１および図１８を参照すると、複数の前部リフタ６１ａ、６２ａ、および６３ａは、複数の後部リフタ６１ｂ、６２ｂ、および６３ｂとともに、組（または対）をそれぞれ規定する。３組のリフタ６１（６１ａおよび６１ｂ）、６２（６２ａおよび６２ｂ）、および６３（６３ａおよび６３ｂ）は、回転軸線Ｏの周りに等しい角度で配置されてもよいが、本開示は必ずしもこれらに限定されない。例えば、回転軸線Ｏを中心に４組のリフタを９０度間隔で配置してもよいし、５組のリフタを７２度間隔で配置してもよい。
【００８０】
以下では、前部リフタ６１ａ、６２ａ、６３ａと後部リフタ６１ｂ、６２ｂ、６３ｂとが同じ構造を有する例を説明するが、本開示は必ずしもこれに限定されない。
【００８１】
図２〜図４を参照すると、リフタ６１ａ、６１ｂ、６２ａ、６２ｂ、６３ａ、および６３ｂのそれぞれは、ドラム５１に固定されたリフタフレーム６２０と、リフタフレーム６２０を覆うように構成されたフレームカバー６４０とを含む。フレームカバー６４０は、ドラム５１の内周面から径方向内側（ドラム５１の内側）に突出し、洗濯物と接触する。フレームカバー６４０は、ドラム５１に直接固定される代わりに、リフタフレーム６２０によりドラム５１に固定される。
【００８２】
リフタフレーム６２０は、合成樹脂製であってもよい。リフタフレーム６２０は、好ましくは射出成形により形成されるが、本開示はそれに限定されない。
【００８３】
金属製のリフタは強度に優れているだけでなく、豪華で衛生的である。リフタを金属製のドラムに直接連結するには、展開されたドラムの形に切り出された原材料にリフタを溶接し、原材料を円筒状に巻き上げた後、互いに向き合った原材料の両端を溶接する必要がある。しかし、平坦な原材料は、原材料を巻き上げる過程で湾曲し、その結果、リフタとドラムとの溶接部に応力がかかり、溶接部が剥離するおそれがある。
【００８４】
この懸念に対処するため、本開示は、金属製のフレームカバー６４０が合成樹脂製のリフタフレーム６２０によりドラム５１に固定される構成を提案する。
【００８５】
一方、図３および図８〜図１２を参照すると、リフタフレーム６２０の外面６２０ａ（図８参照）全体は凸形状を有し、リフタフレーム６２０の内面６２０ｂ（図９参照）は凹形状を有する。具体的には、リフタフレーム６２０は、フレームベース６２１、フレーム上板６２３、およびフレーム側壁６２２を含み得る。
【００８６】
フレームベース６２１は、ドラム５１の内周面に固定されている。フレームベース６２１は、中央部が開放されたリング形状（または単一線で形成された閉形状）を有していてもよい。
【００８７】
フレーム上板６２３は、ドラム５１の内側に向かう方向にフレームベース６２１から離間しており、フレーム側壁６２２によってフレームベース６２１に接続されている。フレーム側壁６２２は、フレーム側壁６２２の下端がフレームベース６２１に接続され、フレーム側壁６２２の上端がフレーム上板６２３に接続されるように、筒状（または円筒状）体の形態で形成されてもよい。
【００８８】
フレーム側壁６２２は、その断面の輪郭が、フレームベース６２１に接続された下端から上方に（またはドラム５１の半径方向に）徐々に減少する（またはドラム５１の内側から遠ざかる方向に徐々に減少する）形状であり、断面の輪郭は、フレーム上板６２３と出会う部分で最も小さくなる。
【００８９】
貯水槽３１に貯められた洗浄水がフレームカバー６４０の内部に導入されるように、ドラム５１に１つ以上の水流流入孔が形成されてもよい。フレームカバー６４０で覆われた領域に形成された開口部は、水流流入孔であってもよい。例えば、フレームカバー６４０の内側に位置する貫通孔５１ｈのいくつかは、水流流入孔であってもよい。さらに、後述する取付スロット５１１ａおよび５１１ｂ、締結孔５１３ａおよび５１３ｂ、および開口部５１２ａおよび５１２ｂは、水流流入孔であってもよい。
【００９０】
１つ以上の通水孔６２４および６２４ａがリフタフレーム６２０に形成されてもよい。リフタフレーム６２０に開口部が形成され、リフタフレーム６２０の内側と外側とが互いに連通する限り、任意の開口部が通水孔６２４であってもよい。
【００９１】
通水孔６２４は、フレーム側壁６２２および／またはフレーム上板６２３に形成されてもよい。リフタフレーム６２０の凹状空間に貯蔵された洗浄水は、通水孔６２４を通じて排出され得る。
【００９２】
この場合、フレーム上板６２３に形成された通水孔６２４を第１通水孔と称してもよく、フレーム側壁６２２に形成された通水孔６２４を第２通水孔と称してもよい。
【００９３】
リフタ６１ａ、６１ｂ、６２ａ、６２ｂ、６３ａ、および６３ｂ内の洗浄水をドラム５１内に排出するために、１つ以上の排水孔６４６ｈがフレームカバー６４０に形成されてもよい。リフタフレーム６２０内の凹空間内の洗浄水は、通水孔６２４を通過した後、排水孔６４６ｈを通ってドラム５１内に排出される。
【００９４】
ドラム５１の内側に露出して洗濯物と接触するフレームカバー６４０の外面６４０ａは凸形状を有し、フレームカバー６４０の内面は、リフタフレーム６２０の凸形状の外面６２０ａに対応する凹形状を有する。フレームカバー６４０は、金属、好ましくはステンレス鋼で作ることができるが、本開示はそれに限定されない。フレームカバー６４０は、所定の厚さを有する金属板を塑性加工（例えば、プレス）することにより形成されてもよい。
【００９５】
フレームカバー６４０は、フレームベース６２１に隣接する下端から上方に延びるカバー側壁６４５と、カバー側壁６４５の上側を覆うように構成されたカバー上板６４６とを含み得る。カバー上板６４６は、フレーム上板６２３とほぼ平行である。特に、カバー上板６４６は、フレーム上板６２３に平行な対応する表面を有し、フレーム上板６２３と実質的に同じ面積を有するように形成されてもよい。複数の排水孔６４６ｈは、カバー上板６４６に形成されてもよい。
【００９６】
カバー側壁６４５は、断面の輪郭が下端から上方（またはドラム５１の径方向）に徐々に減少する（またはドラム５１の内周面から離れる方向に徐々に減少する）形状を有しており、断面の輪郭は、カバー上板６４６と出会う部分で最小になる。この場合、カバー側壁６４５は、フレーム側壁６２２に平行な対応する表面を有するように形成されてもよい。
【００９７】
上述したように、リフタフレーム６２０およびフレームカバー６４０の上面および側面はそれぞれ対応するように形成されているため、より高い剛性が示される可能性があり、したがって外力によってリフタが変形される際の変形および損傷が抑制され得る。
【００９８】
リフタフレーム６２０は、フレームカバー６４０がリフタフレーム６２０から離間することを可能にするように、フレーム上板６２３から突出するスペーサ６２５を含む。スペーサ６２５は、フレーム上板６２３からフレームカバー６４０の内面まで突出している。
【００９９】
フレームカバー６４０の内面は、フレーム上板６２３から突出するスペーサ６２５の長さ（または高さ）以上の程度まで、フレーム上板６２３から離間していてもよい。スペーサ６２５は、フレームカバー６４０の内面から所定の距離で間隔を空けて配置され得る。この場合、フレームカバー６４０の内面は、スペーサ６２５の高さと、スペーサ６２５とフレームカバー６４０の内面との間の間隔との合計に等しい距離で、フレーム上板６２３から離間している。フレームカバー６４０が外力によって押されると、フレームカバー６４０はフレーム上板６２３と接触し、フレームカバー６４０がそれ以上変形するのを防止する。
【０１００】
あるいは、実施形態に応じて、スペーサ６２５は、フレームカバー６４０と接触するように構成されてもよい。この場合、スペーサ６２５は、リフタフレーム６２０の外面６２０ａから突出し、フレームカバー６４０の内面に隣接する。スペーサ６２５は、フレーム上板６２３がフレームカバー６４０から離間した状態でフレームカバー６４０の内面を支持するため、フレームカバー６４０が外力によってリフタフレーム６２０に向かって押されても、フレームカバー６４０がフレーム上板６２３から離間した状態が維持され得る。
【０１０１】
スペーサ６２５は、十字形のリブ構造を有してもよい。具体的には、スペーサ６２５は、フレーム上板６２３上でリフタフレーム６２０の長手方向（または前後方向）に延びる垂直リブ６２５ａと、垂直リブ６２５ａと交差（交差）しながら延びる水平リブ６２５ｂとを含んでもよい。垂直リブ６２５ａおよび水平リブ６２５ｂは、互いに直交していてもよい。
【０１０２】
垂直リブ６２５ａと水平リブ６２５ｂとが互いに交差するスペーサ６２５の部分は、フレーム上板６２３から最大限離隔されてもよい。実施形態に応じて、非接触型スペーサ６２５の場合、交差部分はフレームカバー６４０の内面から離間し、接触型スペーサ６２５の場合、交差部分はフレームカバー６４０の内面と接触する。
【０１０３】
図１０を参照すると、カバー上板６４６の内面は、フレーム上板６２３の外面から離間していてもよい。すなわち、カバー上板６４６の内面とフレーム上板６２３の外面との間に所定の分離空間（または隙間ｇ１）が形成されてもよく、分離空間ｇ１は、洗浄水を排水孔６４６ｈに案内する流路として機能し得る。
【０１０４】
フレーム側壁６２２とカバー側壁６４５との間に分離空間ｇ２を形成してもよい。フレームベース６２１には、後述する着座溝６２１ｒ（図８および図９参照）が形成されており、着座溝６２１ｒはフレーム側壁６２２から所定距離離れたフレームベース６２１の外側に向かう位置に配置されている。したがって、着座溝６２１ｒ内に配置されたカバー側壁６４５の下端は、フレーム側壁６２２から離間している。着座溝６２１ｒによってフレームカバー６４０の下端がフレーム側壁６２２から離間しており、スペーサ６２５によってカバー上板６４６がフレーム上板６２３から離間しているため、フレームカバー６４０の下端と、スペーサ６２５によって支持されたフレームカバー６４０の部分とであるフレームカバー６４０の２点は、リフタフレーム６２０から強制的に離間され、その結果、２点間に位置するカバー側壁６４５がリフタフレーム６２０から離れている状態が維持される。
【０１０５】
各リフタ６１ａ、６１ｂ、６２ａ、６２ｂ、６３ａ、および６３ｂに導入された洗浄水は、分離空間ｇ１およびｇ２に導入され、洗濯槽５０の回転中に分離空間ｇ１およびｇ２に形成される水流が、リフタフレーム６２０の外面とフレームカバー６４０の内面とを清掃する。清掃過程で発生した異物は、フレームカバー６４０に形成された排水孔６４６ｈを通じて排出されるか、ドラム５１に形成された水流流入孔を通じて排出される。分離空間ｇ１およびｇ２によってリフタフレーム６２０とフレームカバー６４０との間に流路が形成され、その結果、この構成は、リフタ６１ａ、６２ａ、６３ａ、６１ｂ、６２ｂ、および６３ｂを清潔な状態に維持するのに有利であり得る。
【０１０６】
特に、通水孔６２４は、排水孔６４６ｈが形成される位置に加えて別の位置にも形成される（第２通水孔はフレーム側壁６２２に形成される）ため、洗浄水がリフタフレーム６２０とフレームカバー６４０との間の分離空間ｇ１およびｇ２に案内され、ドラム５１内に排出される洗浄水の多様な経路を確保することができる。
【０１０７】
通水孔６２４と排水孔６４６ｈとが互いに対応して形成されている場合、リフタフレーム６２０とフレームカバー６４０との間の分離空間ｇ１およびｇ２に導かれた洗浄水は、最短経路でドラム５１内に素早く排出され得る。
【０１０８】
このような場合、リフタの内部を洗浄する効果は期待できないという事実により、リフタフレーム６２０とフレームカバー６４０との間の分離空間ｇ１およびｇ２内においてより多様な経路を通って最大限長い時間洗浄水を流す必要がある。
【０１０９】
このため、排水孔６４６ｈが形成されている位置に加えて、別の位置にも通水孔６２４が形成されている場合、各リフタ６１ａ、６１ｂ、６２ａ、６２ｂ、６３ａ、および６３ｂの内部の清掃効果を向上させることができる。
【０１１０】
この場合、通水孔６２４の数は、排水孔６４６ｈの数よりも相対的に多くてもよい。
【０１１１】
また、排水孔６４６ｈの開口面積は、通水孔６２４の開口面積よりも相対的に小さくてもよい。
【０１１２】
したがって、リフタフレーム６２０とフレームカバー６４０との間の分離空間ｇ１およびｇ２に洗浄水を容易に循環させることができ、その結果、この構成は、リフタ６１ａ、６２ａ、６３ａ、６１ｂ、６２ｂ、および６３ｂを清潔な状態に維持するのにより有利であり得る。
【０１１３】
また、フレーム上板６２３に形成された通水孔６２４の少なくとも一部と、カバー上板６４６に形成された排水孔６４６ｈの少なくとも一部とが、ドラム５１の内周面に垂直な垂直方向に互いに整列しないように配置されることがさらに好ましい場合がある。
【０１１４】
すなわち、リフタをさらに上から見たときに、通水孔６２４と排水孔６４６ｈとが完全に一致しないように通水孔６２４と排水孔６４６ｈとが配置されている構成は、洗浄水が排出される経路をさらに複雑にし、これによって各リフタ６１ａ、６１ｂ、６２ａ、６２ｂ、６３ａ、および６３ｂの内部の洗浄効果の向上に寄与する。
【０１１５】
また、フレーム側壁６２２は、フレーム上板６２３とフレームベース６２１とを傾斜した状態で接続し得る。この目的のために、フレーム上板６２３の水平投影面がフレームベース６２１の円周内に位置することを可能にするべく、フレーム上板６２３はフレームベース６２１より比較的小さくてもよい。
【０１１６】
また、フレーム側壁６２２が傾斜して形成される場合、フレーム側壁６２２に対応するカバー側壁６４５も傾斜して形成される。
【０１１７】
上述のようにフレーム側壁６２２とカバー側壁６４５とが傾斜して形成されているため、通水孔６２４を通過する洗浄水が傾斜面に衝突しながらリフタ内部を洗浄することができ、洗浄水は傾斜面に沿って排水孔６４６ｈに自然に導かれ得る。
【０１１８】
フレームカバー６４０は、スペーサ６２５に対応する位置に形成されたドーム６４１、６４２、６４３、および６４４を有していてもよい。すなわち、スペーサ６２５は、ドーム６４１、６４２、６４３、および６４４の下に配置されてもよい。
【０１１９】
例示的な実施形態で複数のスペーサ６２５が形成される場合、複数のドーム６４１、６４２、６４３、および６４４は、それぞれ複数のスペーサ６２５に対応する位置に形成されてもよい。
【０１２０】
ドーム６４１、６４２、６４３、および６４４は、カバー上板６４６上に形成されてもよい。スペーサ６２５に面する各ドーム６４１、６４２、６４３、および６４４の内面は凹状に形成されてもよく、各ドーム６４１、６４２、６４３、および６４４の外面は凸状に形成されてもよい。ドーム６４１、６４２、６４３、および６４４のそれぞれの凹状内面は、スペーサ６２５から離間していてもよい。しかし、本開示はそれに限定されず、スペーサ６２５は凹状内面と接触していてもよい。
【０１２１】
ドーム６４１、６４２、６４３、および６４４は、金属製のカバー上板６４６を押圧することにより凸状に形成される。複数のドーム６４１、６４２、６４３、および６４４は、カバー上板６４６の長手方向（またはリフタ６１ａ、６１ｂ、６２ａ、６２ｂ、６３ａ、および６３ｂの長手方向）に配置されてもよい。１つ以上の排水孔６４６ｈは、隣接するドーム６４１、６４２、６４３、および６４４の間に形成されてもよい。
【０１２２】
カバー上板６４６が長手方向に互いに離隔した複数の領域を有すると仮定すると、排水孔６４６ｈは、それぞれの領域に形成されてもよい。例示的な実施形態では、排水孔６４６ｈは３つの領域に形成されており、カバー上板６４６の幅方向の各領域に３つ（複数）の排水孔６４６ｈが配置されている。
【０１２３】
スペーサ６２５は、複数の領域の間に配置されてもよい。すなわち、スペーサ６２５は、カバー上板６４６を上から見たときに、複数の領域のうちの隣接する２つの領域の間に配置されてもよい。
【０１２４】
ドーム６４１、６４２、６４３、および６４４は、その内面の凹状部分の深さが互いに異なる２つ以上のドームを含んでいてもよい。より詳細には、ドーム６４１、６４２、６４３、および６４４は、それぞれが第１深さの凹状部分を有する大ドーム６４１および６４２と、それぞれが第１深さよりも小さい第２深さの凹状部分を有する小ドーム６４３および６４４とを含み得る。大ドーム６４１および６４２に対応するスペーサ６２５ａおよび６２５ｄの高さは、小ドーム６４３および６４４に対応するスペーサ６２５ｂおよび６２５ｃの高さよりも大きくてもよい。
【０１２５】
ドーム６４１、６４２、６４３、および６４４は、異なるサイズを有する２つ以上のドームを含み得る。ドーム６４１、６４２、６４３、および６４４のそれぞれは、円形形状を有してもよいが、本開示は必ずしもそれに限定されない。ここで、「サイズ」は、ドーム６４１、６４２、６４３、および６４４のそれぞれの内面の凹部を上から見たときの形状に基づいて決定されてもよく、例えば、「サイズ」は凹部の直径として規定され得る。ただし、ドーム６４１、６４２、６４３、および６４４のそれぞれの内径と外径との差は、単に材料の厚さによるものであるため、サイズは、各ドーム６４１、６４２、６４３、および６４４の外径に基づいて規定され得る。
【０１２６】
スペーサ６２５のサイズは、ドーム６４１、６４２、６４３、および６４４のそれぞれのサイズに応じて変化し得る。すなわち、図１３に示すように、大ドーム６４１および６４２と小ドーム６４３および６４４とがある場合、大ドーム６４１および６４２に対応するスペーサ６２５は、小ドーム６４３および６４４に対応するスペーサ６２５よりも大きくてもよい。
【０１２７】
２つの小ドーム６４３および６４４は、一対の大ドーム６４１および６４２の間に配置されてもよく、排水孔６４６ｈは、ドーム６４１、６４２、６４３、および６４４の間に形成されてもよい。複数の排水孔６４６ｈは、リフタ６１ａ、６１ｂ、６２ａ、６２ｂ、６３ａ、６３ｂと交差する方向（または各リフタ６１ａ、６１ｂ、６２ａ、６２ｂ、６３ａ、および６３ｂの長さに直交する方向）に配置されてもよい。
【０１２８】
ドーム６４１、６４２、６４３、および６４４はカバー上板６４６から突出しているため、洗濯物と排水孔６４６ｈの周囲の表面との隙間は、洗濯物がドーム６４１、６４２、６４３、および６４４上に置かれた場合でも維持され得る。したがって、排水孔６４６ｈが洗濯物で詰まることを防止でき、排水孔６４６ｈから隙間に排出された水を洗濯物に当てることができる。
【０１２９】
貯水槽３１に貯留された水は、開口部からリフタ６１ａ、６１ｂ、６２ａ、６２ｂ、６３ａ、および６３ｂに導入される。リフタフレーム６２０は、１つ以上の通水孔６２４を有する構造であり、リフタ６１ａ、６１ｂ、６２ａ、６２ｂ、６３ａ、および６３ｂに導入された水は、通水孔６２４を介して排水孔６４６ｈに到達し得る。
【０１３０】
リフタ６１ａ、６１ｂ、６２ａ、６２ｂ、６３ａ、６３ｂに導入された洗浄水は、リフタ６１ａ、６１ｂ、６２ａ、６２ｂ、６３ａ、６３ｂ内に洗浄水が入った状態で洗濯槽５０の回転により上昇し、この過程で洗浄水は排水孔６４６ｈから排出（または噴霧）される。
【０１３１】
図２、図３、図１０、図１３〜図１５を参照すると、各リフタ６１ａ、６１ｂ、６２ａ、６２ｂ、６３ａ、および６３ｂは、ドラム５１の内周面から離間したリフタ上板部と、ドラムの内周面に隣接した下端、およびリフタ上板部に接続された上端を有するリフタ側壁部と、を含み、リフタ側壁部には１つ以上の洗浄突起６０３および６０４が形成されている。洗浄突起６０３および６０４は、リフタ側壁部の外面から突出し、リフタ側壁部の外面に沿ってリング状に延在している。
【０１３２】
例示的な実施形態において、各リフタ６１ａ、６１ｂ、６２ａ、６２ｂ、６３ａ、および６３ｂがリフタフレーム６２０とフレームカバー６４０とを含む場合、フレームカバー６４０のカバー上板６４６およびカバー側壁６４５は、それぞれリフタ上板部分およびリフタ側壁部分である。
【０１３３】
各洗浄突起６０３および６０４がリング状に形成されているため、リフタ６１ａ、６１ｂ、６２ａ、６２ｂ、６３ａ、および６３ｂは、どの方向から外力が加わっても変形しにくい。特に、フレームカバー６４０が金属（例えば、ステンレス鋼）製の厚さの薄い板として形成されている場合、十分な剛性を維持することができる。
【０１３４】
フレームカバー６４０は、リング形状を有する１つ以上の洗浄突起６０３および６０４、またはカバー側壁６４５の外面から突出する１つ以上の洗浄リングを含み得る。複数の洗浄突起６０３および６０４は、互いに平行に配置されてもよい。例示的な実施形態では、２つの洗浄突起６０３および６０４が設けられるが、本開示は必ずしもこれらに限定されない。フレームカバー６４０が金属製である場合、洗浄突起６０３および６０４は、プレス機によって形成されてもよい。
【０１３５】
洗浄突起６０３および６０４のそれぞれは、カバー側壁６４５の輪郭に対応する（または類似の）形状を有し、好ましくは、洗浄突起は、カバー側壁６４５から所定の高さまで突出し得る。カバー側壁６４５の輪郭は上方に向かって減少するため、洗浄突起６０３、６０４のうち、上側に位置する洗浄突起は、他の洗浄突起よりも小さい。
【０１３６】
洗濯物と洗浄突起６０３、６０４との間に加えられる摩擦力は、洗濯物をこする効果を生じさせ、それにより洗濯力を向上させる。また、洗浄突起６０３、６０４は、洗濯物を持ち上げる動作を補助するため、リフタ６１ａ、６１ｂ、６２ａ、６２ｂ、６３ａ、６３ｂのそれぞれの高さを従来技術よりも低くした場合でも、従来技術のようなレベルの物理的な力（例えば、洗濯物を持ち上げる力または叩く力）を洗濯物に加えることができる。
【０１３７】
フレームカバー６４０は、リフタフレーム６２０に結合されてもよい。図２および図３を参照すると、フレームカバー６４０の下端に１つ以上の連結タブ６４８が形成されてもよい。図１４に示すように、連結タブ６４８は、フレームカバー６４０を正面から見たときに、下端の左側部６４５Ｌまたは右側部６４５Ｒに形成してもよい。左側部６４５Ｌおよび右側部６４５Ｒは、前後方向に延びる直線部であってもよい。
【０１３８】
図８および図９を参照すると、リフタフレーム６２０には、連結タブ６４８が上から通過するタブ結合ポート６２１ｈが形成されてもよい。タブ結合ポート６２１ｈは、連結タブ６４８にそれぞれ対応する位置に形成されてもよい。連結タブ６４８はタブ結合ポート６２１ｈを通過し、連結タブ６４８の通過部分はタブ結合ポート６２１ｈの縁（またはフレームベース６２１の底面）によって曲げられて引っ掛かり、これによりリフタフレーム６２０およびフレームカバー６４０は互いに結合され得る。
【０１３９】
一方、リフタフレーム６２０のフレームベース６２１には、フレームカバー６４０の下端に対応する着座溝６２１ｒが形成されていてもよい。フレームカバー６４０の下端は、着座溝６２１ｒに挿入されて装着され得る。この場合、タブ結合ポート６２１ｈは、着座溝６２１ｒに形成されてもよい。
【０１４０】
以下、リフタフレーム６２０とドラム５１とが互いに連結される構造について説明する。
【０１４１】
図８、図９、図１１、および図１２を参照すると、前部リフタ６１ａ、６２ａ、および６３ａおよび／または後部リフタ６１ｂ、６２ｂ、および６３ｂのそれぞれに１つ以上の挿入突起６２７が形成され得る。さらに、図５〜図７を参照すると、ドラム５１は、第１グループＧ１の取付スロット５１１ａ１と、第２グループＧ２の取付スロット５１１ａ２とを有していてもよい。グループＧ１およびＧ２のそれぞれは、１つまたは複数の取付スロット５１１ａ１（１）〜５１１ａ１（４）を含み得る。ここで、「グループ」は取付スロットの組であり、１つまたは複数の取付スロットを含み得る。
【０１４２】
第１グループＧ１の取付スロット５１１ａ１および第２グループＧ２の取付スロット５１１ａ２は、１つ以上の挿入突起６２７の数に対応するいくつかの取付スロット５１１ａ１（１）〜５１１ａ１（４）および５１１ａ２（１）〜５１１ａ２（４）を含み得る。すなわち、第１グループＧ１および第２グループＧ２の取付スロットを用いて前部リフタ６１ａ、６２ａ、６３ａを装着する場合、第１グループＧ１の取付スロット５１１ａ１の数および第２グループＧ２の取付スロット５１１ａ２は、各前部リフタ６１ａ、６２ａ、および６３ａに設けられた挿入突起６２７の数に対応してもよい。
【０１４３】
同様に、実施形態によっては、第１グループＧ１および第２グループＧ２の取付スロットを使用して後部リフタ６１ｂ、６２ｂ、および６３ｂを取り付ける場合、第１グループＧ１の取付スロット５１１ａ１の数および第２グループＧ２の取付スロット５１１ａ２の数は、各後部リフタ６１ｂ、６２ｂ、および６３ｂに設けられた挿入突起６２７の数に対応してもよい。
【０１４４】
前部リフタ６１ａ、６２ａ、６３ａまたは後部リフタ６１ｂ、６２ｂ、６３ｂのそれぞれに形成された１つ以上の挿入突起６２７は、第１グループＧ１または第２グループＧ２の取付スロット５１１ａ２に選択的に固定されてもよい。リフタの設置位置は、リフタ６１ａ、６２ａ、６３ａ、６１ｂ、６２ｂ、および６３ｂのそれぞれに形成された１つ以上の挿入突起６２７が、第１グループＧ１または第２グループＧ２のいずれか１つを構成する取付スロットに挿入されるかどうかによって決定され得る。
【０１４５】
以下では、第１グループＧ１および第２グループＧ２を構成する取付スロット５１１ａを用いて前部リフタ６１ａ、６２ａ、６３ａを設置する例を説明するが、後部リフタ６１ｂ、６２ｂ、および６３ｂを取り付けるために同様に取付スロットを形成してもよい。
【０１４６】
第２グループＧ２の取付スロット５１１ａ２は、第２グループＧ２の取付スロット５１１ａ２が第１グループＧ１の取付スロット５１１ａ１と部分的に重なる範囲内で後方にずれた領域に形成されている。参考として、図６において、第１領域Ｍ１は、第１グループＧ１の取付スロット５１１ａ１が形成される領域を示し、第２領域Ｍ２は、第２グループＧ２の取付スロット５１１ａ２が形成される領域を示す。以下、図６に示すように、第２グループＧ２の取付スロット５１１ａ２は、第１グループＧ１の取付スロット５１１ａ１よりも後方に配置される。
【０１４７】
図５〜図７を参照すると、第２グループＧ２の取付スロット５１１ａ２は、第１グループＧ１の取付スロット５１１ａ１から後方に所定距離Ｄだけ離隔されている。したがって、第１グループＧ１の取付スロット５１１ａ１に挿入突起６２７が取り付けられている場合、第２グループＧ２の取付スロット５１１ａ２に挿入突起６２７が取り付けられている場合に比べて、各前部リフタ６１ａ、６２ａ、６３ａが距離Ｄだけさらに前方に位置している。図５に示すように、大容量ドラム５１の金属板は、ドラムが小容量ドラムである場合と比較して、距離Ｅだけ前方に延在している。大容量ドラムの場合（図５Ａ）、前部リフタ６１ａ、６２ａ、６３ａは、ドラムが小容量ドラムである場合（図５Ｂ）と比較して前部リフタ６１ａ、６２ａ、６３ａが相対的に前方に設置されるように、第１グループＧ１の取付スロット５１１ａ１を使用して取り付けられる。そのため、距離Ｅに対応する領域に位置する洗濯物は、ドラム５１の回転中に前部リフタ６１ａ、６２ａ、６３ａに容易に接触し得る。
【０１４８】
各グループＧ１、Ｇ２の取付スロット５１１ａは、前後方向に並んで配置されてもよい。特に、グループＧ１およびＧ２のそれぞれの取付スロット５１１ａは、２列に配置される。また、グループを区別せずに構成全体を見ると、取付スロット５１１ａは、前後方向に延びる共通の基準線に沿って配置されていてもよい。好ましくは、実施形態において、取付スロットは、互いに平行な２つの直線上に配置される。
【０１４９】
より詳細には、第１グループＧ１の取付スロット５１１ａ１は、前後方向に延びる第１列Ｐ１に第１間隔Ｔで配置された２つ以上の第１取付スロット５１１ａ１（１）および５１１ａ１（２）を含み得る。さらに、第１グループＧ１の取付スロット５１１ａ１は、第１列Ｐ１に平行な第２列Ｐ２に第１間隔Ｔで配置された２つ以上の第１取付スロット５１１ａ１（３）および５１１ａ１（４）をさらに含み得る。
【０１５０】
第２グループＧ２内の取付スロット５１１ａ２は、第１列Ｐ１において第１グループＧ１の取付スロット５１１ａ１から第１間隔Ｔよりも小さい第２間隔Ｄだけ後方に配置された２つ以上の第２取付スロット５１１ａ２（１）および５１１ａ２（２）を含んでいてもよい。
【０１５１】
また、第２グループＧ２の取付スロット５１１ａ２は、第１グループＧ１の取付スロット５１１ａ１から間隔Ｔだけ後方にずれた位置で第２列Ｐ２に配置された２つ以上の第２取付スロット５１１ａ２（３）および５１１ａ２（４）をさらに含んでもよい。
【０１５２】
以下、前部リフタ６１ａ、６２ａ、６３ａの設置に使用可能な取付スロット５１１ａ１、５１１ａ２は前部リフタ取付グループに属するものとして定義され、後部リフタ６１ｂ、６２ｂ、および６３ｂを設置するために使用できる取付スロット５１１ｂ（図６（ａ）参照）は、後部リフタ設置グループに属するものとして定義される。
【０１５３】
複数の前部リフタ６１ａ、６２ａ、６３ａ、または複数の後部リフタ６１ｂ、６２ｂ、６３ｂは、ドラム５１の周方向に配置されてもよく、これにより、複数の前部リフタ設置グループは周方向に配置され得、同様に、複数の後部リフタ設置グループも周方向に配置され得る。
【０１５４】
以下、前部リフタ設置グループに属する取付スロットを前部取付スロット５１１ａと称し、後部リフタ取付グループに属する取付スロットを後部取付スロット５１１ｂと称する。
【０１５５】
図８〜図１２を参照すると、挿入突起６２７は、フレームベース６２１から突出してもよい。挿入突起６２７は、フレームベース６２１の底面から下方に突出する垂直部６２７ａ（図１１参照）と、垂直部６２７ａから水平方向に折り曲げられた捕捉部６２７ｂとを含んでもよい。捕捉部６２７ｂは、上方から見たときに、リング状のフレームベース６２１の内側に向かって突出していてもよい。
【０１５６】
図１１に示すように、リフタフレーム６２０を正面から見たときに、フレームベース６２１の左右にそれぞれ挿入突起６２７が形成されてもよい。２つ以上の挿入突起６２７が、フレームベース６２１の一辺に沿って（または前後方向に）形成されてもよい。
【０１５７】
具体的には、フレームベース６２１の左側に形成された挿入突起６２７（Ｌ）は、右方向に屈曲した捕捉部６２７ｂを含んでもよい。逆に、フレームベース６２１の右側に形成された挿入突起６２７（Ｒ）は、左方向に屈曲した捕捉部６２７ｂを含んでもよい。
【０１５８】
図６を参照すると、各取付スロット５１１ａおよび５１１ｂは、ドラム５１のほぼ前後方向に長さＬ１を有するように成形されてもよい。各取付スロット５１１ａ、５１１ｂは、所定の幅Ｗ１を有する挿入部Ｓ１と、挿入部Ｓ１から後方または前方に延び、挿入部Ｓ１よりも小さい幅（Ｗ２＜Ｗ１）を有する結合部Ｓ２とを含んでもよい。例示的な実施形態では、結合部Ｓ２は、挿入部Ｓ１の後端から後方に延びているが、本開示は必ずしもこれに限定されない。逆に、結合部Ｓ２は、挿入部Ｓ１の前端から前方に延びていてもよい。
【０１５９】
また、後述する図２０に示すように、例示的な実施形態では、前部取付スロット５１１ａの結合部Ｓ２が挿入部Ｓ１の前端から前方に延びていてもよく、後部取付スロット５１１ｂの結合部Ｓ２が挿入部Ｓ１の後端から後方に延びていてもよい。
【０１６０】
一方、図５〜図７を参照すると、ドラム５１にリフタフレーム６２０を装着する際、リフタフレーム６２０の挿入突起６２７が挿入部Ｓ１を通過し、リフタフレーム６２０が後方に押され、これによって垂直部６２７ａが結合部Ｓ２に沿って前方に移動し、したがって、捕捉部６２７ｂは結合部Ｓ２の下に位置する。この場合、フレームベース６２１の底面はドラム５１の内周面に密着しており、捕捉部６２７ｂの幅Ｗ３（図１１参照）は結合部Ｓ２の幅Ｗ２よりも大きいため、捕捉部６２７ｂは、結合部Ｓ２を下側から上側に通過することができない。
【０１６１】
図８〜図１１を参照すると、フレーム側壁６２２は、フレームベース６２１の左側６２１ａに下端が接続された側壁左部６２２Ｌと、フレームベース６２１の右側６２１ｂに下端が接続された側壁右部６２２Ｒとを含み得る。側壁左部６２２Ｌまたは側壁右部６２２Ｒの少なくとも一方は、フレームベース６２１に対して鋭角を画定し得る。特に、側壁左部６２２Ｌまたは側壁右部６２２Ｒの少なくとも一方は、正面から見たときに互いに対称であってもよい。
【０１６２】
フレーム側壁６２２は、リフタフレーム６２０を上方から鉛直下方に見たときに、挿入突起６２７に対応する位置に形成された金型排出口６２４ａを有していてもよい。金型排出口６２４ａは、側壁左部６２２Ｌまたは側壁右部６２２Ｒの少なくとも一方に形成されてもよい。
【０１６３】
リフタフレーム６２０は、射出成形によって形成されてもよい。この場合、金型は、リフタフレーム６２０の上面を形成する上金型と、リフタフレーム６２０の下面を形成する下金型とを含んでもよい。
【０１６４】
挿入突起６２７の上面は、上金型によって形成されてもよい。挿入突起６２７がフレーム側壁６２２の下側に位置するため、挿入突起６２７の上面を形成する上金型の金型部分（特に、捕捉部６２７ｂの上面）を上方に移動し得るように（または、金型を開くプロセス中にアンダーカットなしで上金型が引き抜かれ得るように）、上金型が開く方向（またはフレームベース６２１から垂直上方）において挿入突起６２７と重なるフレーム側壁６２２上の領域に、金型を開くプロセス中に挿入突起６２７の上面を画定する上金型の一部が通過し得る開口部を形成する必要があり、金型排出口６２４ａが上記開口部である。
【０１６５】
図８に示すように、リフタフレーム６２０を上方から鉛直下方に見たとき（以下、「リフタフレームの平面図」と称する）、挿入突起６２７の捕捉部６２７ｂは、金型排出口６２４ａに（または金型排出口６２４ａと重なって）配置される。特に、捕捉部６２７ｂ全体が金型排出口６２４ａに位置している。また、リフタフレームの平面図において、捕捉部６２７ｂの外周は、垂直部６２７ａに接続された部分６２７ａを除いて、金型排出口６２４ａの縁から離間している。
【０１６６】
図９および図１０を参照すると、前部リフタ６１ａ、６２ａ、および６３ａまたは後部リフタ６１ｂ、６２ｂ、および６３ｂの少なくとも１つに捕捉突起６２６が形成されてもよい。捕捉突起６２６は、リフタフレーム６２０の凹状の内面６２０ｂから下方に突出してもよい。
【０１６７】
図６を参照すると、捕捉突起６２６が挿入される開口部５１２ａ、５１２ｂは、ドラム５１に形成されてもよい。前部リフタ６１ａ、６２ａ、６３ａを設置するための一対の開口部５１２ａ１、５１２ａ２は、前後方向に間隔Ｄだけ離れていてもよい。
【０１６８】
捕捉突起６２６は、挿入突起６２７が第１グループＧ１の取付スロット５１１ａ１に挿入されるか、第２グループＧ２の取付スロット５１１ａ２に挿入されるかに応じて、一対の開口部５１２ａ１、５１２ａ２のいずれかに選択的に挿入される。
【０１６９】
開口部５１２ａおよび５１２ｂの縁に、捕捉突起６２６の下端とそれぞれ接触する（または捕捉される）捕捉タブ５１４ａおよび５１４ｂが形成されてもよい。捕捉タブ５１４ａおよび５１４ｂは、開口部５１２ａおよび５１２ｂ内の捕捉突起６２６の側面と接触してもよく、それによって捕捉突起６２６の横方向の動きを制限する。
【０１７０】
一方、捕捉タブ５１４ａおよび５１４ｂの位置は、結合部Ｓ２の挿入部Ｓ１に対する取付スロット５１１ａおよび５１１ｂの相対位置に基づいて決定されてもよい。すなわち、図６に示すように、結合部Ｓ２が挿入部Ｓ１の後方に位置する場合、捕捉タブ５１４ａおよび５１４ｂは、捕捉突起６２６の前側の第１凹部６２６ａに配置される。捕捉タブ５１４ａおよび５１４ｂは、捕捉突起６２６が前方に移動しようとするとき（すなわち、挿入突起６２７が結合部Ｓ２から挿入部Ｓ１に移動しようとするとき）、捕捉突起６２６の動きを制限するために、開口部５１２の前端から後方に延び得る。
【０１７１】
反対に、図２０に示す取付スロット５１１ａのように、結合部Ｓ２が挿入部Ｓ１から前方に位置する場合、捕捉タブ５１４ａおよび５１４ｂは、捕捉突起６２６の後側の第２凹部６２６ｂに位置する。捕捉タブ５１４ａおよび５１４ｂは、捕捉突起６２６が後方に移動しようとするとき（すなわち、挿入突起６２７が結合部Ｓ２から挿入部Ｓ１に移動しようとするとき）、捕捉突起６２６の動きを制限するために、開口部５１２の後端から前方に延び得る。
【０１７２】
捕捉タブ５１４ａおよび５１４ｂは、開口部５１２ａおよび５１２ｂの縁に接続された部分に基づいて、ドラム５１の外側に対して所定の角度で曲げられてもよい。捕捉突起６２６の側面は、捕捉突起６２６が開口部５１２ａ、５１２ｂに挿入されていない状態でも捕捉タブ５１４ａ、５１４ｂに接触する場合がある。
【０１７３】
垂直部６２７ａが結合部Ｓ２から挿入部Ｓ１に移動するようにリフタフレーム６２０が移動しようとするとき（すなわち、リフタフレーム６２０が設置される方向と反対方向に移動しようとするとき）、捕捉タブ５１４ａおよび５１４ｂが捕捉突起６２６の下端と干渉するため、動きは制限される。
【０１７４】
図９を参照すると、捕捉突起６２６の下端には、捕捉タブ５１４ａおよび５１４ｂに面する側に第１凹部６２６ａが形成され得る。リフタフレーム６２０が完全に設置された状態において、捕捉タブ５１４ａ、５１４ｂは第１凹部６２６ａに配置され得る。
【０１７５】
捕捉突起６２６の下端には、第１凹部６２６ａと反対側に第２凹部６２６ｂがさらに形成され得る。リフタフレーム６２０の前面および後面が変更された状態でリフタフレーム６２０が設置される場合、捕捉タブ５１４ａ、５１４ｂは第２凹部６２６ｂに配置され得る。
【０１７６】
図９を参照すると、前部リフタ６１ａ、６２ａ、および６３ａまたは後部リフタ６１ｂ、６２ｂ、および６３ｂの少なくとも１つに締結ボス６２８が形成されてもよい。締結ボス６２８は、リフタフレーム６２０の内面６２０ｂから下方に突出してもよい。締結ボス６２８は、フレーム上板６２３から延びていてもよい。２つ以上の締結ボス６２８が、前後方向に互いに間隔を空けて設けられてもよい。
【０１７７】
図５および図６を参照すると、ドラム５１に締結孔５１３ａおよび５１３ｂが形成されてもよい。締結孔５１３ａ、５１３ｂは、リフタフレーム６２０の挿入突起６２７が第１グループＧ１の取付スロット５１１ａ１に装着される際に締結ボス６２８に対応する位置に形成された第１締結孔５１３ａ１と、リフタフレーム６２０の挿入突起６２７が第２グループＧ２の取付スロット５１１ａ２に装着される際に締結ボス６２８に対応する位置に形成された第２締結孔５１３ａ２とを含み得る。一対の締結ボス６２８に対応して一対の第１締結孔５１３ａ１（１）および５１３ａ１（２）が設けられ、一対の第２締結孔５１３ａ２（１）および５１３ａ２（２）を含む第２締結孔５１３ａ２が提供され得る。
【０１７８】
図７を参照すると、締結ボス６２８は、挿入突起６２７が第１グループＧ１の取付スロット５１１ａ１に挿入されるか、または第２グループＧ２の取付スロット５１１ａ２に挿入されるかに基づいて、所定の締結部材（以下、例示のために、ねじ９８）によって第１締結孔５１３ａ１または第２締結孔５１３ａ２に選択的に締結され得る。
【０１７９】
挿入突起６２７が取付スロット５１１ａに挿入されてリフタフレーム６２０が仮組立された状態で、リフタフレーム６２０が完全に設置されるように、ねじ９８はドラム５１の外側から締結孔５１３ａを通過して締結ボス６２８に締結される。
【０１８０】
一方、前述したように、図７の（ａ）または図７の（ｂ）に示すように、リフタフレーム６２０の設置位置は、挿入突起６２７が取付スロット５１１ａ１に挿入されるか取付スロット５１１ａ２に挿入されるかによって変わる。いずれにしても、リフタが完全に設置された状態では、取付スロット５１１ａ１、５１１ａ２、開口部５１２ａ１、５１２ａ２、および締結孔５１３ａ１、５１３ａ２は、フレームカバー６４０によって隠されている。すなわち、取付スロット５１１ａ１、５１１ａ２、開口部５１２ａ１、５１２ａ２、および締結孔５１３ａ１、５１３ａ２は、フレームカバー６４０の内側に位置しているため、ドラム５１の内側に露出していない。
【０１８１】
言い換えれば、リフタ６１ａ、６２ａ、６３ａ、６１ｂ、６２ｂ、６３ｂのそれぞれに設けられた少なくとも１つの挿入突起６２７が、第１グループＧ１および第２グループＧ２の取付スロット５１１ａのうちいずれか１つのグループ（例えば、Ｇ１）の取付スロット（例えば、５１１ａ１）に固定された状態において、他のグループ（例えば、Ｇ２）の取付スロット（例えば、５１１ａ２）はリフタによってドラム５１の内側に隠され得る。
【０１８２】
より詳細には、各前部リフタ６１ａ、６２ａ、６３ａに設けられた少なくとも１つの挿入突起６２７が、第１グループＧ１および第２グループＧ２のいずれかのグループ（例えば、Ｇ１）の取付スロットに挿入された状態において、各前部リフタ６１ａ、６２ａ、６３ａの前端（ＦＥ）（図４参照）は、第１グループＧ１および第２グループＧ２に属する取付スロット５１１ａ１（１）〜５１１ａ１（４）、および５１１ａ２（１）〜５１１ａ２（４）の前方に配置され得る。ここで、前端ＦＥは、リフタカバー６４０の前端であってもよい。
【０１８３】
また、各前部リフタ６１ａ、６２ａ、６３ａの後端は、第１グループＧ１および第２グループＧ２に属する取付スロット５１１ａ１（１）〜５１１ａ１（４）、および５１１ａ２（１）〜５１１ａ２（４）のいずれからも後方に配置され得る。
【０１８４】
視点に応じて、少なくとも１つの挿入突起６２７が第２グループＧ２の取付スロット５１１ａ２（１）〜５１１ａ２（４）の１つに挿入された状態（図２０の（ａ）参照）において、ドラム５１の前端から各前部リフタ６１ａ、６２ａ、６３ａの前端ＦＥ（図４参照）までの距離Ｄ１は、ドラム５１の前端から第１グループＧ１の各取付スロット５１１ａ１（１）〜５１１ａ１（４）の前端（つまり、第１グループの取付スロットの中で最も手前に位置する取付スロットの前端）までの距離Ｄ２よりも短くてもよい（Ｄ１＜Ｄ２）。
【０１８５】
また、少なくとも１つの挿入突起６２７が第１グループＧ１の取付スロット５１１ａ１（１）〜５１１ａ１（４）のいずれかに挿入された状態（図２０の（ｂ）参照）において、ドラム５１の前端から各前部リフタ６１ａ、６２ａ、６３ａの後端までの距離Ｄ３は、ドラム５１の前端から第２グループＧ２の取付スロットの後端（つまり、第２グループの取付スロットの中で最も後側に位置する取付スロットの後端）までの距離Ｄ４よりも長くてもよい（Ｄ３＞Ｄ４）。前部リフタ６１ａ、６２ａ、６３ａの取り付けに使用する取付スロット５１１ａ１（１）〜５１１ａ１（４）、５１１ａ２（１）〜５１１ａ２（４）はすべて、前部リフタ６１ａ、６２ａ、および６３ａの前端と後端との間に位置するため、取付スロットは、前部リフタ６１ａ、６２ａ、および６３ａによって覆われることによって隠され得る。
【０１８６】
一方、各前部リフタ６１ａ、６２ａ、６３ａの前端ＦＥから締結ボス６２８までの距離Ｄ５（図９参照）は、間隔Ｄ（図６参照）よりも長くてもよい（Ｄ５＞Ｄ）。この場合、締結ボス６２８が第２締結孔５１３ａ２（図７参照）に連結された状態（例示的な実施形態では、締結部材９８が第２締結孔５１３ａ２を通過して締結ボス６２８に締結された状態）であっても、前部リフタ６１ａ、６２ａ、および６３ａのそれぞれの前端ＦＥは、第１締結孔５１３ａ１がなお各前部リフタ６１ａ、６２ａ、６３ａによって隠れるように、第１締結孔５１３ａ１から前方に位置する（図７参照）。
【０１８７】
洗濯処理装置の製造業者は、異なる容量を有するドラムを有する様々なタイプの製品を生産することがある。この場合、取付スロット５１１ａ、５１１ｂ、開口部５１２ａ、５１２ｂ、締結孔５１３ａ、５１３ｂなどを有する金属板が所定の規格に基づいて切り抜かれ、このように切り出された原材料５１’または５１’’（図５を参照）が巻き上げられ、ドラム５１を製造するために、原材料の端部が共に接合される。この場合、金属板はドラムの規格に基づいて所定の長さに切断される。長さの異なる２つのドラムを製造するためには、ドラムの長さに応じて、前部リフタ６１ａ、６２ａ、６３ａと後部リフタ６１ｂ、６２ｂ、６３ｂとの間隔を異なるように調整する必要がある。
【０１８８】
例えば、図５に示すように、ドラム５１’の長さが長い場合（図５（ａ）参照）の前部リフタ６１ａ、６２ａ、６３ａと後部リフタ６１ｂ、６２ｂ、６３ｂとの間隔は、大容量ドラム５１の場合であっても洗濯物を前後のリフタ６１ｂ、６２ｂ、６３ｂで均一に持ち上げられ得るように、ドラム５１”の長さが短い場合（図５（ｂ）参照）の前部リフタ６１ａ、６２ａ、６３ａと後部リフタ６１ｂ、６２ｂ、６３ｂとの間隔よりも大きくする必要がある。
【０１８９】
そのため、ドラム５１には、ドラムの長さが変更された場合に前部リフタ６１ａ、６２ａ、６３ａまたは後部リフタ６１ｂ、６２ｂ、６３ｂの少なくとも一方の前後方向の設置位置を調整するための追加の取付スロット５１１ａがさらに形成されている。
【０１９０】
本例示的実施形態では、前部リフタ６１ａ、６２ａ、６３ａの設置位置を調整するために追加の取付スロット５１１ａが設けられているが、本開示は必ずしもこれに限定されない。例示的な実施形態に応じて、後部リフタ６１ｂ、６２ｂ、および６３ｂの設置位置を調整するために、追加の取付スロット５１１ｂを設けてもよい。
【０１９１】
追加の取付スロット５１１ａは、挿入突起６２７が挿入される取付スロット５１１ａ（以下、「取付スロット」と称する）に数的に対応するようにリフタフレーム６２０に形成されてもよく、追加の取付スロット５１１ａは、それぞれの設置スロットから前方または後方に所定の距離Ｄだけ離れた位置に形成されてもよい。リフタフレーム６２０の設置位置は、挿入突起６２７を取付スロット（例えば、５１１ａ１）から分離して、挿入突起６２７を追加の取付スロット（例えば、５１１ａ２）に挿入することにより、距離Ｄだけ変更することができる。
【０１９２】
なお、例示的な実施形態では、前部リフタ６１ａ、６２ａ、６３ａの設置位置を調整するために追加の開口部５１２ａが設けられているが、本開示は必ずしもこれに限定されない。実施形態によっては、後部リフタ６１ｂ、６２ｂ、６３ｂの設置位置を調整するために追加の開口部５１２ｂを設けてもよい。
【０１９３】
一方、例示的な実施形態では、前部リフタ６１ａ、６２ａ、６３ａの設置位置を調整するために、追加の締結孔５１３ａが設けられているが、本開示はこれに限定されない。実施形態に応じて、後部リフタ６１ｂ、６２ｂ、６３ｂの設置位置を調整するために、追加の締結孔５１３ｂを設けることもできる。
【０１９４】
図２０は、本開示の別の例示的な実施形態を示している。前部取付スロット５１１ａによりリフタフレーム６２０を設置するためには、挿入突起６２７を挿入部Ｓ１に挿入した後、リフタフレーム６２０を前方に押す必要がある。後部取付スロット５１１ｂによりリフタフレーム６２０を設置するためには、挿入突起６２７を挿入部Ｓ１に挿入した後、リフタフレーム６２０を後方に押す必要がある。
【０１９５】
逆に、ドラム５１からリフタフレーム６２０を分離するためには、挿入突起６２７の捕捉部６２７ｂを結合部Ｓ２から移動させて捕捉部６２７ｂを挿入部Ｓ１に位置合わせするべく、リフタフレーム６２０が前方または後方に押されてリフタフレーム６２０が持ち上げられ、その結果、捕捉部６２７ｂが挿入部Ｓ１を通過し、リフタフレーム６２０がドラム５１から分離され得る。
【０１９６】
図１６は、図１に示す前後一対のリフタを示す図である。図１７は、図１６に示すリフタを正面から見た図である。図１８は、図１に示すドラムが展開された状態を示す図（ａ）と、本開示の他の例示的な実施形態に係るリフタの配置を示すドラムの展開図（ｂ）である。図１９は、ドラムの回転角度に応じて後部リフタにより生じる第１布地の高さの変化を示す図（ａ）と、後部リフタと対をなす前部リフタによる第２布地の高さの変化を示す図（ｂ）である。以下、図１６〜図１９を参照して説明する。
【０１９７】
各前部リフタ６１ａ、６２ａ、６３ａは、ドラム５１の内周面に配置され、前後方向に延在している。複数の前部リフタ６１ａ、６２ａ、６３ａは、回転軸線Ｏを基準として等角度に配置されている。
【０１９８】
後部リフタ６１ｂ、６２ｂ、６３ｂは、ドラム５１の内周面に配置され、前部リフタ６１ａ、６２ａ、６３ａよりも後方に位置している。後部リフタ６１ｂ、６２ｂ、６３ｂは、前部リフタ６１ａ、６２ａ、６３ａと同様に、回転軸線Ｏを基準として等角度に配置されている。
【０１９９】
後部リフタ６１ｂ、６２ｂ、６３ｂは、回転軸線Ｏに対して前部リフタ６１ａ、６２ａ、６３ａと所定の位相角を形成するように配置されている。ここで、「位相角」は、リフタ６１ａ、６２ａ、６３ａ、６１ｂ、６２ｂ、６３ｃが円周上の点に到達する時点をドラム５１の回転角度として定義することにより作成される。例示的な実施形態では、ドラム５１が時計回りＣＷに回転する場合、後部リフタ６１ｂ、６２ｂ、６３ｂは、前部リフタ６１ａ、６２ａ、６３ａよりも位相角ΔΘに相当する分だけ前に同じ高さに達する。
【０２００】
図１６および図１７に示すように、各リフタ６１ａ、６２ａ、６３ａ、６１ｂ、６２ｂ、６３ｂが、前後方向に延びる長さＣ１と、左右方向（または長手方向に直交する方向）において規定された幅Ｃ２とを有すると仮定した場合、位相角に対応する周方向距離（Ｃ３＝ΔΘｒ、図１９参照）は、０より大きく各前部リフタ６１ａ、６２ａ、６３ａの周方向の幅Ｃ２の２倍以下である。
【０２０１】
図１８を参照すると、ドラム５１の内周面にある任意の一対の前部リフタ／後部リフタ（例えば、６１ａおよび６１ｂ）と別の対の前部リフタ／後部リフタ（例えば、６２ａおよび６２ｂ）との間に、前部リフタまたは後部リフタが存在しない非リフタ領域ＳＥが形成される。非リフタ領域ＳＥは、ドラム５１の前端から後端まで延びていてもよい。
【０２０２】
具体的には、非リフタ領域ＳＥは、ドラム５１の前端から、２つの隣接するリフタ対の間を通ってドラム５１の後端まで延在している。具体的には、非リフタ領域ＳＥは、複数の前部リフタ６１ａ、６２ａ、および６３ａのうち、隣接する２つの前部リフタ（例えば、６１ａおよび６２ａ）の間、ならびに２つの隣接する前部リフタ６１ａおよび６２ａのそれぞれと位相角ΔΘをそれぞれ形成する２つの後部リフタ６１ｂおよび６２ｂの間を通りながら、ドラム５１の前端からドラムの後端まで真っ直ぐに延在している。
【０２０３】
非リフタ領域ＳＥは、ドラム５１の前端から後端まで真っ直ぐに延在しているため、非リフタ領域ＳＥでは、ドラム５１の前側領域と後側領域とに洗濯物が均一に分配され得る。
【０２０４】
典型的には、洗濯機は、脱水処理を行う前にドラム５１の離心率を検出し、検出された離心率が基準値内にある場合、ドラム５１の回転速度が所定の脱水速度（または脱水ＲＰＭ）に達するようにドラムが加速される。そうでなければ、ドラム５１内の布地の位置を変更するために布地分配が実行される。検出された離心率が基準値に達しない場合、布地分配が繰り返される。布地分配が繰り返される回数が所定の回数に達すると、布地分配が失敗したと判断され、脱水が停止される。
【０２０５】
本例示的実施形態に係る洗濯機では、ドラム５１の後側に位置する第１布地（すなわち、後部リフタ６１ｂ、６２ｂ、６３ｂにより持ち上げられる布地）と、ドラム５１の前側に位置する第２布地（すなわち、前部リフタによって持ち上げられる布地）は、前部リフタ６１ａ、６２ａ、および６３ａと後部リフタ６１ｂ、６２ｂ、および６３ｂとによって形成される位相角ΔΘによる時間差（または位相差）で流れ、その結果、布地分配がより円滑に行われ得る。
【０２０６】
具体的には、図１９を参照すると、後部リフタ６１ｂ、６２ｂ、および６３ｂがドラム５１の最下点（Θ＝０）に位置する状態で、ドラム５１を時計回りＣＷに回転させると、第１布地が後部リフタ６１ｂ、６２ｂ、および６３ｂによって最初に持ち上げられ始め、続いて、位相角ΔΘに対応する時間が経過した後、第２布地が前部リフタ６１ａ、６２ａ、および６３ａによって持ち上げられ始める。
【０２０７】
布が転がり（Θ＜π／２）、リフタ６１ａ、６２ａ、６３ａ、６１ｂ、６２ｂ、および６３ｂによって持ち上げられた布が落ちる位置Ｐが位置Ｐｄであると仮定すると、後部リフタ６１ｂ、６２ｂ、および６３ｂによって持ち上げられた第１布地が位置（または高さ）Ｐｄに到達して最初に落下し、その後、前部リフタ６１ａ、６２ａ、および６３ａによって持ち上げられた第２布地が位置Ｐｄに到達して落下する。
【０２０８】
第１布地および第２布地は、塊を形成することなく時間差を伴って移動し、したがって、均等に分配され得る。その結果、布地分配が繰り返される回数を低減し、脱水段階に入らない場合を低減し、脱水時間を含む全体の洗浄時間を短縮することができる。
【０２０９】
また、生地が転がったり落下したりする際に生地が位相差を持って流れるため、相対的な動きによって引き起こされる生地間の摩擦や衝突がより頻繁に発生し、洗浄操作によって汚染がより効果的に除去され得る（つまり、洗浄力が向上する）。
【０２１０】
一方、図２０は、リフタを配置した変形例を示す図であり、（ａ）は小容量ドラムを示し、（ｂ）は大容量ドラムを示している。図２０を参照すると、一組の前部リフタ６１ａ、６２ａ、６３ａと後部リフタ６１ｂ、６２ｂ、６３ｂとが前後方向に一列に配置され得る。すなわち、１対をなす前部リフタ６１ａ、６２ａ、６３ａおよび後部リフタ６１ｂ、６２ｂ、６３ｂは、周方向に互いに間隔を空けずに同一線上に配置されてもよい。
【０２１１】
図２１は、リフタの他の例示的な実施形態を示す図である。図２１に示される例示的な実施形態は、上述の例示的な実施形態のものと形状がわずかに異なるが、詳細な構成が上記の例示的な実施形態と同様のリフタフレーム６２０’とフレームカバー６４０’とを含むリフタ６４を提供する。したがって、上述した例示的な実施形態による構成要素と同一の構成要素には同一の符号を付し、その具体的な説明は省略する。
【０２１２】
本発明をその実施形態に関連して説明したが、本明細書を読めば、その様々な修正が当業者に明らかになることを理解されたい。したがって、本明細書で開示される本発明は、添付の特許請求の範囲内に入るような修正を包含することを意図していることを理解されたい。
【符号の説明】
【０２１３】
１３  ケーシング
１６  ダンパ
１７  排水ホース
１９  排水管
２１  扉
２２  ガスケット
２４  ポンプ
２５  モータ
２５ａ  駆動軸
２６  スパイダ
３１  貯水槽
３３  給水弁
３４  給水管
３５  ディスペンサ
３７  給水ホース
５０  洗濯槽
５１  ドラム
５１’、５１’’  原材料
５１ａ  エンボス部
５１ｈ  貫通孔
５２  前部カバー
５３  後部カバー
６１ａ、６２ａ、６３ａ  前部リフタ
６１ｂ、６２ｂ、６３ｂ  後部リフタ
６４  リフタ
９８  ねじ
５１１ａ  前部取付スロット
５１１ｂ  後部取付スロット
５１１ａ１  第１グループＧ１の取付スロット
５１１ａ２  第２グループＧ２の取付スロット
５１１ａ１（１）、５１１ａ１（２）、５１１ａ１（３）、５１１ａ１（４）  取付スロット
５１１ａ２（１）、５１１ａ２（２）、５１１ａ２（３）、５１１ａ２（４）  取付スロット
５１２ａ、５１２ｂ  開口部
５１３ａ、５１３ｂ  締結孔
５１３ａ１、５１３ａ１（１）、５１３ａ１（２）  第１締結孔
５１３ａ２、５１３ａ２（１）、５１３ａ２（２）  第２締結孔
５１４ａ、５１４ｂ  捕捉タブ
６０３、６０４  洗浄突起
６２０、６２０’  リフタフレーム
６２０ａ  外面
６２０ｂ  内面
６２１  フレームベース
６２１ａ  左側
６２１ｂ  右側
６２１ｈ  タブ結合ポート
６２１ｒ  着座溝
６２２  フレーム側壁
６２２Ｌ  側壁左部
６２２Ｒ  側壁右部
６２３  フレーム上板
６２４、６２４ａ  通水孔
６２４ａ  金型排出口
６２５  スペーサ
６２５ａ  垂直リブ（スペーサ）
６２５ｂ  水平リブ（スペーサ）
６２５ｃ、６２５ｄ  スペーサ
６２６  捕捉突起
６２６ａ  第１凹部
６２６ｂ  第２凹部
６２７、６２７（Ｌ）、６２７（Ｒ）  挿入突起
６２７ａ  垂直部
６２７ｂ  捕捉部
６２８  締結ボス
６４０、６４０’  フレームカバー
６４０ａ  外面
６４１、６４２、６４３、６４４  ドーム
６４５  カバー側壁
６４５Ｌ  左側部
６４５Ｒ  右側部
６４６  カバー上板
６４６ｈ  排水孔
６４８  連結タブ
Ｏ  回転軸線
ｇ１、ｇ２  分離空間（隙間）
Ｇ１  第１グループ
Ｇ２  第２グループ
Ｍ１  第１領域
Ｍ２  第２領域
Ｄ、Ｄ１、Ｄ２、Ｄ３、Ｄ４、Ｄ５、Ｅ  距離
Ｐ１  第１列
Ｐ２  第２列
Ｔ  第１間隔
Ｄ  第２間隔
Ｌ１  長さ
Ｗ１、Ｗ２、Ｗ３、Ｃ２  幅
Ｓ１  挿入部
Ｓ２  結合部
ΔΘ  位相角
ＦＥ  前端
ＳＥ  非リフタ領域
Ｐ  位置
Ｐｄ  位置
【図１】
2020124476.tif 000003
【図２】
2020124476.tif 000004
【図３】
2020124476.tif 000005
【図４】
2020124476.tif 000006
【図５】
2020124476.tif 000007
【図６】
2020124476.tif 000008
【図７】
2020124476.tif 000009
【図８】
2020124476.tif 000010
【図９】
2020124476.tif 000011
【図１０】
2020124476.tif 000012
【図１１】
2020124476.tif 000013
【図１２】
2020124476.tif 000014
【図１３】
2020124476.tif 000015
【図１４】
2020124476.tif 000016
【図１５】
2020124476.tif 000017
【図１６】
2020124476.tif 000018
【図１７】
2020124476.tif 000019
【図１８】
2020124476.tif 000020
【図１９】
2020124476.tif 000021
【図２０】
2020124476.tif 000022
【図２１】
2020124476.tif 000023